(57)【要約】【目的】  本発明の目的は、装置の大型化を防止しつつ、押下操作の操作感を向上させることができる複合操作型入力装置を提供する。【構成】  原点位置から下方向に押下移動可能に且つ、前記原点位置から左右の２つの揺動方向に揺動可能にケース１００に保持される操作レバー２００と、操作レバー２００が下方向に移動自在に取り付けられるロータ３００と、操作レバー２００の揺動角度に応じて信号を出力する位置検出手段４００と、操作レバー２００の下方に配置される押下部材５００と、押下部材５００に対向配置される押下スイッチ６００と、揺動操作された操作レバー２００を原点位置に復帰させる原点復帰手段７００とを具備する。押下部材５００のヘッド部５１２が、操作レバー２００の傾斜面２１２ｂ１に押下されることにより、押下スイッチ６００の第２の可動接点部６５０の頂部を押下する。【選択図】      図３
2008305750.tif 000002
【特許請求の範囲】
【請求項１】
操作レバーが、原点位置から押下移動可能に、且つ前記原点位置から押下移動方向に交差し、相対する２つの揺動方向に向けて揺動可能にケースに保持される複合操作型入力装置において、
前記ケースに収容されており且つ前記操作レバーの揺動角度に応じて信号を出力する位置検出手段と、
前記操作レバーの押下移動方向側の一端面に対向配置される押下部材と、
前記操作レバーの押下移動方向及び揺動方向に略直交する方向に被押下部を向けた状態で、前記押下部材に対向配置される押下スイッチと、を具備しており、
前記押下部材は、前記操作レバーの一端面に押下されることにより、前記押下スイッチに向けて移動し、当該押下スイッチの被押下部を押下するようになっていることを特徴とする複合操作型入力装置。
【請求項２】
請求項１記載の複合操作型入力装置において、
前記操作レバーの前記一端面及び押下部材の操作レバー対向面のうち少なくともいずれか一方が、前記操作レバーの押下により、前記押下部材を前記押下スイッチに向けて移動させる傾斜面となっていることを特徴とする複合操作型入力装置。
【請求項３】
請求項１記載の複合操作型入力装置において、
前記操作レバーに対して２つの揺動方向側から当接し、当該操作レバーを原点位置で保持する弾性体である２つの原点復帰手段を更に備えていることを特徴とする複合操作型入力装置。
【請求項４】
請求項３記載の複合操作型入力装置において、
前記２つの原点復帰手段は、前記ケース内の前記操作レバーの２つの揺動方向側に配設される２つのコイル部と、このコイル部から各々延びる２つのアーム部と各々を有しており、
前記２つのアーム部が前記操作レバーの揺動に応じて当該操作レバーの両端部に各々押圧されることにより、前記２つのコイル部が各々圧縮されるようになっていることを特徴とする複合操作型入力装置。
【請求項５】
請求項４記載の複合操作型入力装置において、
前記操作レバーが前記押下移動方向に向けて移動自在に取り付けられており且つ前記操作レバーと共に揺動可能に前記ケースに保持される略円弧状のロータを更に備えており、
前記２つのアーム部が前記操作レバーの揺動に応じて前記ロータの両端部に各々押圧されることにより、前記２つのコイル部が各々圧縮されるようになっていることを特徴とする複合操作型入力装置。
【請求項６】
請求項４又は５記載の複合操作型入力装置において、
前記２つの原点復帰手段は、２つのコイル部から各々延びる別のアーム部が連結されることにより、一体化されていることを特徴とする複合操作型入力装置。
【請求項７】
請求項３記載の複合操作型入力装置において、
前記操作レバーが押下移動方向に向けて移動自在に取り付けられており且つ前記ケースに前記操作レバーと共に揺動可能に収容される略円弧状のロータを更に備えており、
前記原点復帰手段は、前記ロータの両端部に２つの揺動方向側から当接し、当該ロータを原点位置で保持するようになっていることを特徴とする複合操作型入力装置。
【請求項８】
請求項１記載の複合操作型入力装置において、
揺動操作された前記操作レバーを原点位置に復帰させる弾性体である原点復帰手段を更に備えており、
前記操作レバーには、前記原点復帰手段の長さ方向の両端面の一部に当接する２つの第１の当接部が設けられており、
前記ケースには、前記原点復帰手段の長さ方向の両端面の残りの部分に当接する２つの第２の当接部が設けられていることを特徴とする複合操作型入力装置。
【請求項９】
請求項５記載の複合操作型入力装置において、
前記操作レバーが押下移動方向に向けて移動自在に取り付けられており且つ前記ケースに前記操作レバーと共に揺動可能に収容される略円弧状のロータを更に備えており、
前記ロータには、前記残りの部分を露出させた状態で、前記原点復帰手段を収容する収容凹部が設けられており、
この収容凹部の長さ寸法の両端面が前記２つの第１の当接部となっていることを特徴とする複合操作型入力装置。
【請求項１０】
請求項１記載の複合操作型入力装置において、
前記押下スイッチは、前記ケースに設けられた一対の固定接点部と、頂部が前記被押下部となっており且周縁部が一方の固定接点部に接触する略ドーム状の可動接点部とを有し、
この可動接点部は、前記押下部材の押下により弾性変形し、前記頂部が他方の固定接点部に接触するようになっていることを特徴とする複合操作型入力装置。
【請求項１１】
請求項１０記載の複合操作型入力装置において、
前記押下部材は弾性変形可能になっており、
前記操作レバーの押下から前記可動接点部が開放されると、前記押下部材及び前記可動接点部が復元し、当該操作レバーを原点位置に向けて押し上げるようになっていることを特徴とする複合操作型入力装置。
【請求項１２】
請求項１記載の複合操作型入力装置において、
前記押下スイッチは、前記ケースに設けられる第１、第２、第３の固定接点部と、周縁部が第１の固定接点部に接触する略ドーム状の第１の可動接点部と、この第１の可動接点部に被せられ且つ周縁部が第２の固定接点部に接触する略ドーム状の第２の可動接点部とを有しており、
この第２の可動接点部は、その第２の頂部が前記被押下部となっており、
前記押下部材に前記第２の頂部が押下されると、前記第２の可動接点部が弾性変形して前記第２の頂部が前記第１の可動接点部の第１の頂部に接触し、
更に前記押下部材に前記第２の頂部が押下されると、前記第１、第２の可動接点部が弾性変形して前記第１の頂部が前記第３の固定接点部に接触するようになっていることを特徴とする複合操作型入力装置。  
【請求項１３】
請求項１２記載の複合操作型入力装置において、
前記押下部材は弾性変形可能になっており、
前記操作レバーの押下から前記第２の可動接点部が開放されると、前記押下部材及び前記第２の可動接点部が復元し、当該操作レバーを原点位置に向けて押し上げるようになっており、
前記操作レバーの押下から前記第１、第２の可動接点部が開放されると、前記押下部材及び前記第１、第２の可動接点部が復元し、当該操作レバーを原点位置に向けて押し上げるようになっていることを特徴とする複合操作型入力装置。
【請求項１４】
請求項１記載の複合操作型入力装置において、
前記位置検出手段は、前記操作レバーに設けられる導電ブラシと、前記ケースに設けられており且つ前記導電ブラシが選択的に接触する複数の接点部とを有することを特徴とする複合操作型入力装置。
【請求項１５】
請求項５、７又は９記載の複合操作型入力装置において、
前記位置検出手段は、前記ロータに設けられる導電ブラシと、前記ケースに設けられており且つ前記導電ブラシが選択的に接触する複数の接点部とを有することを特徴とする複合操作型入力装置。
【請求項１６】
請求項１記載の複合操作型入力装置において、
前記ケースに取り付けられ、前記操作レバーに帯電する静電気を外部に逃がすフレームグランドを更に備えることを特徴とする複合操作型入力装置。
【請求項１７】
請求項１０記載の複合操作型入力装置において、
一方の固定接点部は、前記ケース内に露出し、可動接点部の周縁部に接触する一端部と、外部接続用に前記ケース外に突出する他端部とを有し、
他方の固定接点部は、前記可動接点部に接触可能に前記ケース内に露出する一端部と、外部接続用に前記ケース外に突出する他端部とを有し、
前記ケースの前記一方及び他方の固定接点部の他端部が突出する部分には、半田を流し込むための複数の接続用凹部が設けられていることを特徴とする複合操作型入力装置。
【請求項１８】
請求項１２記載の複合操作型入力装置において、
第１の固定接点部は、前記ケース内に露出し、第１の可動接点部の周縁部に接触する一端部と、外部接続用に前記ケース外に突出する他端部とを有し、
第２の固定接点部は、前記ケース内に露出し、第２の可動接点部の周縁部に接触する一端部と、外部接続用に前記ケース外に突出する他端部とを有し、
第３の固定接点部は、前記第１の可動接点部に接触可能に前記ケース内に露出する一端部と、外部接続用に前記ケース外に突出する他端部とを有し、
前記ケースの第１、第２及び第３の固定接点部の他端部が突出する部分には、半田を流し込むための複数の接続用凹部が設けられていることを特徴とする複合操作型入力装置。
【請求項１９】
請求項１４又は１５記載の複合操作型入力装置において、
複数の接点部は、導電ブラシが接触可能に前記ケース内に露出する一端部と、外部接続用に前記ケース外に突出する他端部とを有し、
前記ケースの複数の接点部の他端部が突出する部分には、半田を流し込むための複数の接続用凹部が設けられていることを特徴とする複合操作型入力装置。
【発明の詳細な説明】
【技術分野】
【０００１】
本発明は、操作レバーが、原点位置から相対する２方向に揺動操作可能であると共に、前記原点位置から押下操作可能である複合操作型入力装置に関する。
【背景技術】
【０００２】
この種の複合操作型入力装置としては、操作レバーの原点位置から左右方向への揺動操作移動又は下方向への押下操作移動に伴って、当該操作レバーに取り付けられた可動接点部が移動し、ケースの内壁面に設けられた４つの固定接点部のうちの２つの固定接点部に選択的に接触することにより、信号を各々出力するようにしたものがある(特許文献１参照)。
【０００３】
【特許文献１】特開２００５−１４９９２５号公報
【発明の開示】
【発明が解決しようとする課題】
【０００４】
しかしながら、前記複合操作型入力装置は、操作レバーの押下操作により、可動接点部が２つの固定接点部に接触するだけであることから、その押下操作の操作感が乏しいという問題を有している。
【０００５】
そのため、前記複合操作型入力装置に、良好な操作感を得られるスイッチ手段を組み込むことが検討されているが、押下操作検出用の前記固定接点部に代えて前記スイッチ手段を組み込むと、装置の大型化を招くという別の問題があった。
【０００６】
本発明は、上記事情に鑑みて創案されたものであって、その目的とするところは、装置の大型化を防止しつつ、押下操作の操作感を向上させることができる複合操作型入力装置を提供することにある。
【課題を解決するための手段】
【０００７】
上記課題を解決するために、本発明の複合操作型入力装置は、操作レバーが、原点位置から押下移動可能に、且つ前記原点位置から前記押下移動方向に交差し、相対する２つの揺動方向に向けて揺動可能に前記ケースに保持される複合操作型入力装置であって、前記ケースに収容されており且つ前記操作レバーの揺動角度に応じて信号を出力する位置検出手段と、前記操作レバーの押下移動方向側の一端面に対向配置される押下部材と、前記操作レバーの押下移動方向及び揺動方向に略直交する方向に被押下部を向けた状態で、前記押下部材に対向配置される押下スイッチと、を具備しており、前記押下部材は、前記操作レバーの押下移動により、当該操作レバーの一端面に押下されると、前記押下スイッチに向けて移動し、当該押下スイッチの被押下部を押下するようになっている。
【０００８】
このように前記操作レバーの押下移動により、前記押下部材を前記押下スイッチに向けて移動させ、当該押下スイッチの被押下部を押下させるようにしたことにより、押下操作の操作感を生じさせることができる。
【０００９】
また、前記押下部材が前記操作レバーの押下移動方向側の一端面に対向配置されると共に、前記押下スイッチが前記操作レバーの押下移動方向及び揺動方向に略直交する直交方向に被押下部を向けた状態で、前記押下部材に対向配置されている。即ち、前記操作レバーと前記押下部材とを前記押下移動方向に並べて配置する一方、当該押下部材と前記押下スイッチとを前記直交方向に並べて配置することができる。
【００１０】
前記操作レバーの前記一端面及び押下部材の操作レバー対向面のうち少なくともいずれか一方が、前記操作レバーの押下により、前記押下部材を前記押下スイッチに向けて移動させる傾斜面となっていることが好ましい。この場合、前記傾斜面により、前記押下部材を前記操作レバーの押下に応じて前記押下スイッチに向けて移動させ易くなる。
【００１１】
前記複合操作型入力装置が、前記操作レバーに対して２つの揺動方向側から当接し、当該操作レバーを原点位置で保持する弾性体である２つの原点復帰手段を更に備える構成とすることもできる。
【００１２】
このような複合操作型入力装置による場合、前記操作レバーが一方の揺動方向に揺動操作されると、一方の原点復帰手段が前記操作レバーに押圧され、圧縮される。これにより、前記操作レバーに対して原点位置への復帰力が付与される。また、前記操作レバーが他方の揺動方向に揺動操作されると、他方の原点復帰手段が前記操作レバーに押圧され、圧縮される。これにより、前記操作レバーに対して原点位置への復帰力が付与される。
【００１３】
また、前記２つの原点復帰手段は、前記ケース内の前記操作レバーの２つの揺動方向側に各々配置されるので、前記ケースの中央部を前記押下部材及び押下スイッチの収容空間として用いることができる。この点でも、前記押下スイッチを備えたことにより生じる装置高の増大及び装置の厚みの増大を抑制することができる。
【００１４】
前記２つの原点復帰手段が、前記ケース内の前記操作レバーの２つの揺動方向側に配設される２つのコイル部と、このコイル部から各々延びる２つのアーム部と各々を有する場合、前記２つのアーム部が前記操作レバーの揺動に応じて当該操作レバーの両端部に各々押圧されることにより、前記２つのコイル部が各々圧縮されるようになっている。
【００１５】
即ち、前記操作レバーが一方の揺動方向に揺動操作されると、当該操作レバーの一端部が一方の前記アーム部を押圧する。これにより、一方のコイル部が圧縮され、前記操作レバーに対して原点位置への復帰力が付与される。また、前記操作レバーが他方の揺動方向に揺動操作されると、当該操作レバーの他端部が他方の前記アーム部を押圧する。これにより、他方のコイル部が圧縮され、前記操作レバーに対して原点位置への復帰力が付与される。
【００１６】
前記複合操作型入力装置が、前記操作レバーが前記押下移動方向に向けて移動自在に取り付けられており且つ前記操作レバーと共に揺動可能に前記ケースに保持される略円弧状のロータを更に備える場合、前記２つのアーム部が前記操作レバーの揺動に応じて前記ロータの両端部に各々押圧されることにより、前記２つのコイル部が各々圧縮されるようになっている。
【００１７】
このような複合操作型入力装置による場合、前記操作レバーが一方の揺動方向に揺動操作されると、前記ロータの一端部が一方の前記アーム部を押圧する。これにより、一方のコイル部が圧縮され、前記ロータ及び操作レバーに対して原点位置への復帰力が付与される。また、前記操作レバーが他方の揺動方向に揺動操作されると、前記ロータの他端部が他方の前記アーム部を押圧する。これにより、他方のコイル部が圧縮され、前記ロータ及び操作レバーに対して原点位置への復帰力が付与される。
【００１８】
前記２つの原点復帰手段は、２つのコイル部から各々延びる別のアーム部が連結されることにより、一体化されていることが好ましい。
【００１９】
或いは、前記原点復帰手段は、前記ロータの両端部に２つの揺動方向側から当接し、当該ロータを原点位置で保持する構成とすることもできる。
【００２０】
或いは、前記複合操作型入力装置が、揺動操作された前記操作レバーを原点位置に復帰させる弾性体である原点復帰手段を更に備えている場合、前記操作レバーには、前記原点復帰手段の長さ方向の両端面の一部に当接する２つの第１の当接部が設けられており、前記ケースには、前記原点復帰手段の長さ方向の両端面の残りの部分に当接する２つの第２の当接部が設けられている。
【００２１】
このような複合操作型入力装置による場合、前記操作レバーが一方の揺動方向に揺動操作されると、前記原点復帰手段が他方の第１の当接部と一方の第２の当接部との間で圧縮される。これにより、前記操作レバーに対して原点位置への復帰力が付与される。また、前記操作レバーが他方の揺動方向に揺動操作されると、前記原点復帰手段が一方の第１の当接部と他方の第２の当接部との間で圧縮される。これにより、前記操作レバーに対して原点位置への復帰力が付与される。
【００２２】
また、前記原点復帰手段は、前記第１、第２の当接部の間で保持されるだけであることから、前記ケース内に大きな収容空間を必要としない。この点でも、装置の小型化を図ることが可能になる。
【００２３】
前記複合操作型入力装置が、前記操作レバーが押下移動方向に向けて移動自在に取り付けられており且つ前記ケースに前記操作レバーと共に揺動可能に収容される略円弧状のロータを更に備えている場合、前記ロータには、前記残りの部分を露出させた状態で、前記原点復帰手段を収容する収容凹部が設けられており、この収容凹部の長さ寸法の両端面が前記２つの第１の当接部となっている。このように前記収容凹部に前記原点復帰手段を収容させることにより、当該原点復帰手段の組み込みが簡単になる。
【００２４】
前記押下スイッチは、前記ケースに設けられた一対の固定接点部と、頂部が前記被押下部となっており且周縁部が一方の固定接点部に接触する略ドーム状の可動接点部とを有する構成とすることができる。この場合、前記可動接点部は、前記押下部材の押下により弾性変形し、前記頂部が他方の固定接点部に接触するようになっている。
【００２５】
前記押下部材が弾性変形可能になっている場合、前記操作レバーの押下から前記可動接点部が開放されると、前記押下部材及び前記可動接点部が復元し、当該操作レバーを原点位置に向けて押し上げるようになっている。このようにして押下操作された操作レバーを原点位置に復帰させることができる。
【００２６】
前記一方の固定接点部が、前記ケース内に露出し、可動接点部の周縁部に接触する一端部と、外部接続用に前記ケース外に突出する他端部とを有し、前記他方の固定接点部が、前記可動接点部に接触可能に前記ケース内に露出する一端部と、外部接続用に前記ケース外に突出する他端部とを有する場合、前記ケースの前記一方及び他方の固定接点部の他端部が突出する部分には、半田を流し込むための複数の接続用凹部が設けられている。この場合、前記ケースを実装用基板上にセットした状態で、当該ケースの接続用凹部に半田を流し込むだけで、一方及び他方の固定接点部の他端部を実装用基板に半田接続することができる。このように一方、他方の固定接点部の他端部だけでなく、ケースの接続用凹部も併せて、実装用基板に半田接続することにより、複合操作型入力装置を実装用基板上に固着する固着力が増大させることができる。
【００２７】
或いは、前記押下スイッチは、前記ケースに設けられる第１、第２、第３の固定接点部と、周縁部が第１の固定接点部に接触する略ドーム状の第１の可動接点部と、この第１の可動接点部に被せられ且つ周縁部が第２の固定接点部に接触する略ドーム状の第２の可動接点部とを有する構成とすることができる。この場合、前記第２の可動接点部は、その第２の頂部が前記被押下部となっており、前記押下部材に前記第２の頂部が押下されると、前記第２の可動接点部が弾性変形して前記第２の頂部が前記第１の可動接点部の第１の頂部に接触し、更に前記押下部材に前記第２の頂部が押下されると、前記第１、第２の可動接点部が弾性変形して前記第１の頂部が前記第３の固定接点部に接触するようになっている。  
【００２８】
前記押下部材が弾性変形可能になっている場合、前記操作レバーの押下から前記第２の可動接点部が開放されると、前記押下部材及び前記第２の可動接点部が復元し、当該操作レバーを原点位置に向けて押し上げるようになっており、前記操作レバーの押下から前記第１、第２の可動接点部が開放されると、前記押下部材及び前記第１、第２の可動接点部が復元し、当該操作レバーを原点位置に向けて押し上げるようになっている。このようにして押下操作された操作レバーを原点位置に復帰させることができる。
【００２９】
第１の固定接点部が、前記ケース内に露出し、第１の可動接点部の周縁部に接触する一端部と、外部接続用に前記ケース外に突出する他端部とを有し、第２の固定接点部が、前記ケース内に露出し、第２の可動接点部の周縁部に接触する一端部と、外部接続用に前記ケース外に突出する他端部とを有し、第３の固定接点部が、前記第１の可動接点部に接触可能に前記ケース内に露出する一端部と、外部接続用に前記ケース外に突出する他端部とを有する場合、前記ケースの第１、第２及び第３の固定接点部の他端部が突出する部分には、半田を流し込むための複数の接続用凹部が設けられている。この場合、前記ケースを実装用基板上にセットした状態で、当該ケースの接続用凹部に半田を流し込むだけで、第１、第２及び第３の固定接点部の他端部を実装用基板に半田接続することができる。このように第１、第２及び第３の固定接点部の他端部だけでなく、ケースの接続用凹部も併せて、実装用基板に半田接続することにより、複合操作型入力装置を実装用基板上に固着する固着力が増大させることができる。
【００３０】
前記位置検出手段は、前記操作レバーに設けられる導電ブラシと、前記ケースに設けられており且つ前記導電ブラシが選択的に接触する複数の接点部とを有する構成とすることができる。又は、前記位置検出手段は、前記ロータに設けられる導電ブラシと、前記ケースに設けられており且つ前記導電ブラシが選択的に接触する複数の接点部とを有する構成とすることもできる。
【００３１】
複数の接点部が、導電ブラシが接触可能に前記ケース内に露出する一端部と、外部接続用に前記ケース外に突出する他端部とを有する場合、前記ケースの複数の接点部の他端部が突出する部分には、半田を流し込むための複数の接続用凹部が設けられている。この場合、前記ケースを実装用基板上にセットした状態で、当該ケースの接続用凹部に半田を流し込むだけで、接点部の他端部を実装用基板に半田接続することができる。このように接点部の他端部だけでなく、ケースの接続用凹部も併せて、実装用基板に半田接続することにより、複合操作型入力装置を実装用基板上に固着する固着力が増大させることができる。
【００３２】
前記複合操作型入力装置は、前記ケースに取り付けられ、前記操作レバーに帯電する静電気を外部に逃がすフレームグランドを更に備えることが好ましい。
【発明の効果】
【００３３】
本発明の複合操作型入力装置による場合、前記操作レバーの押下により、前記押下部材を前記押下スイッチに向けて移動させ、当該押下スイッチの被押下部を押下させるようになっているので、押下操作の操作感を向上させることができる。
【００３４】
しかも、前記操作レバーと前記押下部材とを前記押下移動方向に並べて配置する一方、当該押下部材と前記押下スイッチとを前記直交方向に並べて配置することができる。よって、前記押下スイッチを備えたことにより生じる装置高の増大及び装置の厚みの増大を抑制することができ、装置の小型化を図ることが可能になる。
【発明を実施するための最良の形態】
【００３５】
以下、本発明の実施の形態に係る複合操作型入力装置について説明する。
【実施例１】
【００３６】
まず、本発明の第１の実施の形態に係る複合操作型入力装置について図面を参照しつつ説明する。図１は本発明の第１の実施の形態に係る複合操作型入力装置の概略的正面図であって、（ａ）は操作レバーが原点位置に位置した状態を示す図、（ｂ）は操作レバーが押下操作された状態を示す図、（ｃ）は操作レバーが揺動操作された状態を示す図、図２は同装置のフレームグランドを取り外した状態の概略的正面図であって、（ａ）は操作レバーが原点位置に位置した状態を示す図、（ｂ）は操作レバーが押下操作された状態を示す図、（ｃ）は操作レバーが揺動操作された状態を示す図、図３は同装置の概略的分解斜視図、図４は同装置の押下スイッチの固定接点部及び位置検出手段の接点の露出部分を示すケースの模式図、図５は同装置の操作レバーを示す図であって、（ａ）が正面図、（ｂ）が背面図、（ｃ）が側面図、（ｄ）が平面図、（ｅ）が底面図、（ｆ）Ａ−Ａ断面図、図６は同装置の操作レバー、押下部材本体及び押下スイッチを示す模式的断面図であって、（ａ）が押下スイッチの押下前の状態を示す図、（ｂ）が押下スイッチの第１段階の押下状態を示す図、（ｃ）が押下スイッチの第２段階の押下状態を示す図である。
【００３７】
ここに掲げる複合操作型入力装置は、デジタルカメラに実装される入力装置であって、ケース１００と、原点位置から下方向に向けて２段階の押下移動可能（即ち、シャッタ操作可能）に且つ、前記原点位置から押下移動方向に交差する、相対する２つの揺動方向に向けて揺動可能（即ち、ズーム操作可能）にケース１００に保持される操作レバー２００と、この操作レバー２００が下方向に移動自在に取り付けられるロータ３００と、操作レバー２００の揺動角度に応じて信号を出力する位置検出手段４００と、操作レバー２００の下方に配置される押下部材５００と、押下部材５００に対向配置される押下スイッチ６００と、揺動操作された操作レバー２００を原点位置に復帰させる原点復帰手段７００と、ケース１００に取り付けられるフレームグランド８００とを具備している。以下、各部を詳しく説明する。
【００３８】
ケース１００は、図１、図２、図３及び図４に示すように、樹脂製の成形品である。このケース１００は、頂部が丸くなった略五角形の板状のベース部１１０と、このベース部１１０の厚み方向の一面の下端部に設けられた底壁部１２０と、ベース部１１０の前記一面の中央部に設けられたスイッチ収容部１３０と、ベース部１１０の前記一面の両端部上に各々設けられた２つの側壁部１４０と、ベース部１１０の前記一面の両傾斜部上に各々設けられた２つの傾斜壁部１５０と、ベース部１１０の前記一面の頂部上に設けられた円弧壁部１６０と、ロータ３００を操作レバー２００と同方向に揺動可能にガイドするガイド部１７０とを有している。
【００３９】
底壁部１２０は、図２及び図３に示すように、ベース部１１０の前記一面の下端部の中央部に位置する矩形状の底板部１２１と、この底板部１２１の両端部に連続する略三角柱状の２つの山部１２２とを有している。
【００４０】
山部１２２の頂部には、略円弧状の凹部であり且つ原点復帰手段７００のコイル部７１０の一部を収容する第１のコイル収容凹部１２２ａが設けられている。また、山部１２２の下面には、フレームグランド８００の下側係止片８３０を係止する下側係止部１２２ｂが設けられている。
【００４１】
この下側係止部１２２ｂは、山部１２２の下面に設けられた矩形状の凹部と、この凹部の中心部に設けられた係止凸部とを有する。
【００４２】
傾斜壁部１５０の外面には、図２及び図３に示すように、フレームグランド８００の上側係止片８２０を係止する上側係止部１５１が設けられている。上側係止部１５１は、傾斜壁部１５０の上面に設けられた矩形状の凹部と、この凹部の中心部に設けられた係止凸部とを有する。
【００４３】
側壁部１４０は、底壁部１２０の山部１２２と傾斜壁部１５０とに連続している。この側壁部１４０の高さ寸法は、底壁部１２０及び傾斜壁部１５０の高さ寸法よりも低くなっている。
【００４４】
ガイド部１７０は、側壁部１４０、傾斜壁部１５０及び円弧壁部１６０の内面に設けられている略半円弧状のガイド面１７１と、ベース部１１０の前記一面のスイッチ収容部１３０の上方位置に設けられており且つガイド面１７１との間でロータ３００を揺動自在にガイドする略半円柱状のガイド凸部１７２を有する。なお、ガイド凸部１７２の下面と、スイッチ収容部１３０の上面との間の空間は、原点復帰手段７００の第１のアーム部７２０の中間部を収容する収容空間となっている。
【００４５】
スイッチ収容部１３０は、図３及び図４に示すように、２つの山部１２２に連続して設けられる逆凹字状の突脈１３１と、この突脈１３１の２つの角部の内側に各々設けられる突起状の２つの第１の支持部１３２と、底板部１２１の両端部と２つの山部１２２との接続部の内側に各々設けられる突起状の２つの第２の支持部１３３と、２つの第１、第２の支持部１３２の間に各々設けられた凹状の２つの第３の支持部１３４（図示一つ）と、スイッチ収容部１３０の中心部に設けられる接点載置部１３５とを有している。
【００４６】
突脈１３１の２つの角部には、２つの固定アーム１３１ａが凸設されている。この固定アーム１３１ａは、第１のコイル収容凹部１２２ａの上方に位置する略三角柱体である。固定アーム１３１の内面は窪んでおり、押下部材５００の枠体５２０の上側の２つの角部を各々位置決め固定するようになっている。一方、固定アーム１３１ａの外面は、第１のコイル収容凹部１２２ａに収容された原点復帰手段７００のコイル部７１０から延びる第１のアーム７２０をガイドするように傾斜している。
【００４７】
また、固定アーム１３１ａは、操作レバー２００の抜け止め部２１２ａに当接可能になっており、操作レバー２００の揺動の範囲を規制する役割を果たしている。
【００４８】
また、突脈１３１の両端部の外面には、２つの第１のコイル収容凹部１２２ａに連続する２つの略円弧状の第２のコイル収容凹部１３１ｂが各々設けられている。
【００４９】
この第２のコイル収容凹部１３１ｂは、原点復帰手段７００のコイル部７１０の別部分を収容保持する。
【００５０】
２つの第１、第２の支持部１３２、１３３の面上には、図３に示すように、第２の可動接点部６５０の４つの第２の脚部６５２を支持する凹部が各々面上に設けられている。
【００５１】
２つの第３の支持部１３４は第１の可動接点部６４０の２つの第１の脚部６４２を支持するようになっている。
【００５２】
操作レバー２００は、図２、図３及び図５に示すように、棒状の軸部２１０と、この軸部２１０の上端部に設けられる略円弧状の操作アーム２２０と、この操作アーム２２０の下面に設けられ、軸部２１０の幅方向の両端部に連続する２つのガイド突起部２３０と、操作アーム２２０の上面の中央部に設けられる略台形状の操作凸部２４０とを有している。
【００５３】
軸部２１０は、ロータ３００の取付凹部３１０に上下方向に移動自在に嵌まり込む略角柱状の取付部２１１と、この取付部２１１の下端部に連続する押下部２１２と、取付部２１１及び押下部２１２の厚み方向の一面に設けられた４つの突起部２１３とを有している。
【００５４】
押下部２１２は、取付部２１１の下端部に連続する部位であり且つ当該取付部２１１よりも幅広な抜け止め部２１２ａと、この抜け止め部２１２ａの下端部に連続する略半円状の押下部本体２１２ｂとを有する。
【００５５】
抜け止め部２１２ａは、その上端側の両角部が外側に向けて斜めに傾斜している。この抜け止め部２１２ａの両角部がロータ３００の下面に当接することにより、操作レバー２００の上方への抜け止めがなされる。
【００５６】
押下部本体２１２ｂの下端部の中央部は、正面から見て２つの略直角三角形の鋭角同士を繋げた形状に切り欠かれている。また、押下部本体２１２ｂの下端部の中央部（即ち、押下操作方向側の一端面）には、図５（ｆ）及び図６に示すように、その厚み方向の他端面から一端面にかけて漸次低減する傾斜面２１２ｂ１が設けられている。
【００５７】
この傾斜面２１２ｂ１は、図６（ａ）に示すように、押圧部材５００の押圧部材本体５１０に当接する。即ち、傾斜面２１２ｂ１が、図６（ｂ）及び（ｃ）に示すように、操作レバー２００の押下移動に応じて、押圧部材５００のヘッド部５１２を押下し、押下スイッチ６００に向けて移動させるようになっている。また、傾斜面２１２ｂ１の押圧部材本体５１０に当接する部分が操作レバー２００の揺動の支点となる。
【００５８】
操作アーム２２０の両端部の上面は、操作され易くするために凹凸面となっている。
【００５９】
また、２つのガイド突起部２３０の幅寸法及び軸部２１０の取付部２１１の幅寸法の和が、図２に示すように、２つの傾斜壁部１５０の内面の間の寸法より若干小さくなっている。即ち、ガイド突起部２３０の外面が、図２（ｂ）に示すように、操作レバー２００の押下移動の際に、ケース１００の傾斜壁部１５０の内面にガイドされるようになっている。
【００６０】
ロータ３００は、図２及び図３に示すように、略円弧状の部材である。このロータ３００の幅方向の一面の中央部には、操作レバー２００の取付部２１１が上下方向に移動自在に嵌まり込む取付凹部３１０が設けられている。ロータ３００の幅方向の他面には、位置検出手段４００のブラシ４２０の本体部７２１の２つの取付孔に溶着される図示しない２つのボスが設けられている。
【００６１】
また、ロータ３００の両端部には、原点復帰手段７００の２つの第２のアーム７３０を押圧する際に、当該第２のアーム７３０を係止する２つの係止アーム３２０が設けられている。
【００６２】
原点復帰手段７００は、図２及び図３に示すように、２つのコイル部７１０と、この２つのコイル部７１０の一端同士を繋ぐ第１のアーム部７２０と、２つのコイル部７１０の他端に連続しており且つ第１のアーム部７２０の両端部と略Ｖ字状に各々交差する２つの第２のアーム部７３０とを有している。
【００６３】
コイル部７１０は、ケース１００の第１、第２のコイル収容凹部１２２ａ、１３１ｂ及び押下部材５００の第３の収容凹部５２１に収容保持される。
【００６４】
第１のアーム部７２０の両端部は、２つの固定アーム１３１ａの外面にガイドされる。また、第１のアーム部７２０の中間部は、ガイド凸部１７２の下面と、スイッチ収容部１３０の上面との間の空間に収容される。このようにして原点復帰手段７００がケース１００に収容される。
【００６５】
２つの第２のアーム部７３０は、図２（ａ）に示すように、ロータ３００の両端部の係止アーム３２０の内側に当接している。このようにして原点復帰手段７００がロータ３００を原点位置で支持する。
【００６６】
押下部材５００は、図２、図３及び図６に示すように、押下部材本体５１０と、この押下部材本体５１０が内部に設けられる略矩形状の枠体５２０とを有する樹脂製の成形品である。
【００６７】
押下部材本体５１０は、枠体５２０の下端部に設けられた板状の軸支部５１１と、この軸支部５１１の先端部に設けられた断面視略球状のヘッド部５１２とを有している。
【００６８】
ヘッド部５１２は、操作レバー２００の傾斜面２１２ｂ１に当接している。これにより、押下部材本体５１０が操作レバー２００を支持する。即ち、操作レバー２００は、原点復帰手段７００の２つの第２のアーム部７３０及び押下部材本体５１０に支持されることにより、図２（ａ）に示すように、直立状態である原点位置で保持される。
【００６９】
また、ヘッド部５１２は、傾斜面２１２ｂ１に押下されることにより、押下スイッチ６００に向けて移動し、当該押下スイッチ６００の第２の接点部本体６５１の頂部を押下する。
【００７０】
軸支部５１１は、ヘッド部５１２が傾斜面２１２ｂ１に押下されることにより、弾性変形するようになっている。この弾性変形により、ヘッド部５１２が押下スイッチ６００に向けて移動可能となっている。
【００７１】
枠体５２０の４つの角部は外側に向けて凸になっている。上側の２つの角部が２つの固定アーム１３１ａに各々位置決め固定される。下側の２つの角部は２つの山部１２２の間で保持される。この状態で、ヘッド部５１２が操作レバー２００の押下部２１２の傾斜面２１２ｂ１に当接し、対向配置される。
【００７２】
枠体５２０の上端部は、棒状体であって、押下移動する操作レバー２００の押下部２１２との干渉を避けている。枠体５２０の下端部は、その中央部に軸支部５１１が設けられる板状体である。
【００７３】
また、枠体５２０の両端部の外面の中間部には、２つの第１、第２のコイル収容凹部１２２ａ、１３１ｂに連続する２つの略円弧状の第３の収容凹部５２１が各々設けられている。この枠体５２０の両端部は、２つの第１、第２、第３の支持部１３２、１３３、１３４上に載置され、当該第１、第２、第３の支持部１３２、１３３、１３４との間で、第１の可動接点部６４０の２つの第１の脚部６４２及び第２の可動接点部６５０の４つの第２の脚部６５２を挟持する。このようにして第１、第２の可動接点部６４０、６５０の浮き上がりを防止している。
【００７４】
第３の収容凹部５２１は、原点復帰手段７００のコイル部７１０の別部分を収容保持する。
【００７５】
押下スイッチ６００は、図３、図４及び図６に示すように、ベース部１１０に埋設された第１の固定接点部６１０、２つの第２の固定接点部６２０及び第３の固定接点部６３０と、第１の固定接点部６１０に接触する第１の可動接点部６４０と、この第１の可動接点部６４０に被せられ且つ第２の固定接点部６２０に接触する第２の可動接点部６５０とを有している。
【００７６】
第１の固定接点部６１０の一端部は二股に分かれており、その先端部がスイッチ収容部１３０の接点載置部１３５の中央部の上端部及び下端部から露出する。第１の固定接点部６１０の他端部は、ベース部１１０の厚み方向の他面から露出する。
【００７７】
一方の第２の固定接点部６２０は、その一端部が一方の第１の支持部１３２の凹部の底面上に露出し、その他端部がベース部１１０の厚み方向の他面から露出する。
【００７８】
他方の第２の固定接点部６２０は、その一端部が他方の第２の支持部１３３の凹部の底面上に露出し、その他端部がベース部１１０の厚み方向の他面から露出する。
【００７９】
第３の固定接点部６３０は、その一端部が接点載置部１３５の中心部から露出し、その他端部がベース部１１０の厚み方向の他面から露出する。
【００８０】
第１の可動接点部６４０は、図３に示すように、弾性変形可能な略ドーム状の第１の接点部本体６４１と、この第１の接点部本体６４１の外周縁部に１８０°間隔で設けられた２つの第１の脚部６４２とを有している。この２つの第１の脚部６４２がスイッチ収容部１３０の２つの第３の支持部１３４に嵌まり込む。この状態で、第１の接点部本体６４１がスイッチ収容部１３０の接点載置部１３５上にセットされ、第１の固定接点部６１０の二股状の一端部に接触する。
【００８１】
第２の可動接点部６５０は、弾性変形可能な略ドーム状の第２の接点部本体６５１と、この第２の接点部本体６５１の外周縁部に９０°間隔で設けられた４つの第２の脚部６５２とを有している。
【００８２】
この４つの第２の脚部６５２がスイッチ収容部１３０の２つの第１、第２の支持部１３２、１３３の凹部に嵌まり込む。これにより、４つの第２の脚部６５２のうちの２つの第２の脚部６５２が２つの第２の固定接点部６２０の一端部に各々接触する。また、４つの第２の脚部６５２は弾性変形可能になっている。
【００８３】
第２の接点部本体６５１の頂部は、図６（ａ）に示すように、４つの第２の脚部６５２がスイッチ収容部１３０の２つの第１、第２の支持部１３２、１３３に支持された状態で、その頂部が操作レバー２００の押下移動方向及び揺動方向に略直交する方向（即ち、ケース１００の厚み方向）に向けて押下部材５００のヘッド部５１２に対向配置される。即ち、第２の接点部本体６５１は、その頂部が押下部材５００のヘッド部５１２に押下される被押下部となっている。
【００８４】
従って、第２の接点部本体６５１の頂部が、図６（ｂ）に示すように、押下部材５００のヘッド部５１２に押下されると、４つの第２の脚部６５２及び第２の接点部本体６５１が弾性変形し、第２の接点部本体６５１の頂部が第１の接点部本体６４１の頂部に接触する。これにより、押下スイッチ６００の第１段階のスイッチがオンとなる。
【００８５】
更に、第２の接点部本体６５１の頂部が、図６（ｃ）に示すように、押下部材５００のヘッド部５１２に押下されると、４つの第２の脚部６５２、第２の接点部本体６５１及び第１の接点部本体６４１が弾性変形し、第２の接点部本体６５１の頂部が第１の接点部本体６４１を介して第３の固定接点部６３０の一端部に接触する。これにより、押下スイッチ６００の第２段階のスイッチがオンとなる。
【００８６】
位置検出手段４００は、図３及び図４に示すように、ボディ１００のベース部１１０に埋設される接点部４１１、４１２、４１３と、この接点部４１１、４１２、４１３に選択的に接触するブラシ４２０とを有している。
【００８７】
接点部４１１は、その一端部がベース部１１０の前記一面の中央部から露出し、その他端部がベース部１１０の厚み方向の他面から露出する。
【００８８】
接点部４１２は、その一端部がベース部１１０の前記一面の接点部４１１の一方側から露出し、その他端部がベース部１１０の厚み方向の他面から露出する。
【００８９】
接点部４１３は、その一端部がベース部１１０の前記一面の接点部４１１の他方側から露出し、その他端部がベース部１１０の厚み方向の他面から露出する。
【００９０】
ブラシ４２０は、略円弧状の導電部材であって、ロータ３００に取り付けられる本体部４２１と、この本体部４２１の両端部に各々連続する２つの接触アーム４２２とを有している。
【００９１】
本体部４２１は、２つの取付孔が設けられ、ロータ３００の厚み方向の他面に溶着されるようになっている。
【００９２】
接触アーム４２２は先端部が半円弧状に湾曲している。この接触アーム４２２の先端部が、ロータ３００の揺動に伴ってベース部１１０の前記一面上を摺動し、接点部４１１、４１２、４１３の一端部上を選択的に摺動するようになっている。
【００９３】
グランドフレーム８００は金属板で構成されている。このグランドフレーム８００は、図３に示すように、頂部が丸くなった略五角形の板状のベース板８１０と、このベース板８１０の頂部の両側部に各々設けられた２つの上側係止片８２０と、ベース板８１０の下端部の上側係止片８１０の下方位置に各々設けられた２つの下側係止片８３０と、ベース板８１０の両端部に各々設けられた２つの側壁板８４０とを有している。
【００９４】
ベース板８１０は、操作レバー２００の４つの突起部２１３、押下部材５００の枠体５２０に各々当接する。これにより、ベース板８１０が、操作レバー２００、ロータ３００、位置検出手段４００のブラシ４２０、押下部材５００及び押下スイッチ６００を、ケース１００との間で保持する。
【００９５】
上側係止片８２０は、上側係止部１５１の凹部に嵌まり込む矩形状の板体と、この板体の中央部に設けられ、当該上側係止部１５１の係止凸部を係止する係止穴とを有した形状となっている。上側係止片８２０の板体の長さ寸法は、上側係止部１５１の長さ寸法よりも長くなっている。即ち、前記係止穴が前記係止凸部を係止した状態で、前記板体の先端部がベース部１１０の前記他面側に突出する。
【００９６】
下側係止片８３０は上側係止片８２０と略同じ形状となっている。
【００９７】
この上側係止片８２０及び下側係止片８３０の前記先端部は、図示しないデジタルカメラの実装用基板のアースパターンに半田接続される。これにより、操作レバー２００に帯電する静電気を、ベース部１１０及び上側係止片８２０で受け、上側係止片８２０及び下側係止片８３０を通じて前記アースパターンに流すようになっている。
【００９８】
側壁板８４０は、側壁部１４０の外面に当接するようになっている。これにより、側壁板８４０が、側壁部１４０上の底壁部１２０と傾斜壁部１５０との間の開口を塞ぐようになっている。
【００９９】
以下、このような構成の複合操作型入力装置の組み立て手順について説明する。まず、ケース１００の各部を樹脂成形するに当たり、押下スイッチ６００の第１の固定接点部６１０、２つの第２の固定接点部６２０、第３の固定接点部６３０及び位置検出手段４００の接点部４１１、４１２、４１３をインサート成形する。
【０１００】
このとき、第１の固定接点部６１０の二股状の一端部の先端部をスイッチ収容部１３０の接点載置部１３５の中央部の上端部及び下端部から各々露出させ、その他端部をベース部１１０の厚み方向の他面から露出させる。一方の第２の固定接点部６２０の一端部を一方の第１の支持部１３２の凹部の底面上に露出させ、その他端部をベース部１１０の厚み方向の他面から露出させる。他方の第２の固定接点部６２０の一端部を他方の第２の支持部１３３の凹部の底面上に露出させ、その他端部をベース部１１０の厚み方向の他面から露出させる。第３の固定接点部６３０の一端部を接点載置部１３５の中心部から露出させ、その他端部をベース部１１０の厚み方向の他面から露出させる。
【０１０１】
また、接点部４１１の一端部をベース部１１０の前記一面の中央部から露出させ、その他端部をベース部１１０の厚み方向の他面から露出させる。接点部４１２の一端部をベース部１１０の前記一面の接点部４１１の一方側から露出させ、その他端部をベース部１１０の厚み方向の他面から露出させる。接点部４１３の一端部をベース部１１０の前記一面の接点部４１１の他方側から露出させ、その他端部をベース部１１０の厚み方向の他面から露出させる。
【０１０２】
その後、押下スイッチ６００の第１の可動接点部６４０の２つの第１の脚部６４２を、ケース１００のスイッチ収容部１３０の２つの第３の支持部１３４に各々位置合わせをしつつ挿入する。すると、第１の可動接点部６４０の第１の接点部本体６４１がスイッチ収容部１３０の接点載置部１３５上にセットされ、第１の固定接点部６１０の二股状の一端部に接触する。
【０１０３】
その後、押下スイッチ６００の第２の可動接点部６５０の４つの第２の脚部６５２を、スイッチ収容部１３０の２つの第１、第２の支持部１３２、１３３の凹部に各々位置合わせをしつつ挿入する。すると、２つの第２の脚部６５２が２つの第２の固定接点部６２０の一端部に各々接触する。このようにして第２の可動接点部６５０が第１の可動接点部６４０に被せられる。
【０１０４】
その後、押下部材５００の枠体５２０の上側の２つの角部を、２つの固定アーム１３１の間に嵌め込むと共に、下側の２つの角部を２つの山部１２２の間に嵌め込む。すると、押下部材５００が２つの固定アーム１３１及び山部１２２の間で位置決め固定される。
【０１０５】
すると、押下部材５００のヘッド部５１２が押下スイッチ６００の第２の可動接点部６５０に対向配置される。これと共に、枠体５２０の両端部が、２つの第１、第２、第３の支持部１３２、１３３、１３４上に載置される。これにより、第１の可動接点部６４０の２つの第１の脚部６４２及び第２の可動接点部６５０の４つの第２の脚部６５２が、枠体５２０の両端部と、第１、第２、第３の支持部１３２、１３３、１３４との間で挟持される。
【０１０６】
その後、原点復帰手段７００の２つのコイル部７１０を、ケース１００の２つの第１、第２のコイル収容凹部１２２ａ、１３１ｂ及び押下部材５００の２つの第３の収容凹部５２１に位置合わせをしつつ挿入する。これと共に、原点復帰手段７００の第１のアーム部７２０がケース１００の２つの固定アーム１３１によりガイドされ、ガイド凸部１７２の下面とスイッチ収容部１３０の上面との間の空間に収容される。
【０１０７】
その後、ブラシ４２０が取り付けられたロータ３００を、ケース１００のガイド部１７０に位置合わせをしつつ挿入する。すると、ブラシ４２０がケース１００のベース部１１０の前記一面に当接する。
【０１０８】
その後、操作レバー２００の取付部２１１を、ロータ３００の取付凹部３１０に位置合わせをしつつ挿入する。すると、操作レバー２００の傾斜面２１２ｂ１が押下部材５００のヘッド部５１２に当接する。
【０１０９】
その後、フレームグランド８００の上側係止片８２０を、ケース１００の上側係止部１５１に係止させると共に、フレームグランド８００の下側係止片８３０を、ケース１００の下側係止部１２２ｂに係止させる。
【０１１０】
これにより、フレームグランド８００とケース１００との間で、操作レバー２００、ロータ３００、位置検出手段４００のブラシ４２０、押下部材５００及び押下スイッチ６００の第１、第２の可動接点部６４０、６５０が保持される。
【０１１１】
その後、位置検出手段４００の接点部４１１、４１２、４１３の他端部をデジタルカメラの図示しない実装用基板の電極パターンに、押下スイッチ６００の第１の固定接点部６１０、２つの第２の固定接点部６２０、第３の固定接点部６３０の他端部を前記実装用基板の別の電極パターンに各々半田接続する。
【０１１２】
これと共に、フレームグランド８００の上側係止片８２０及び下側係止片８３０の先端部を前記実装用基板のアースパターンに半田接続する。
【０１１３】
以下、このようにして組み立てられる複合操作型入力装置の使用方法及び各部の動作について説明する。まず、操作レバー２００を、図１(ｃ)及び図２(ｃ)に示すように、原点位置から一方の揺動方向に向けて揺動操作すると、ロータ３００が操作レバー２００と共に、前記一方の揺動方向に揺動する。
【０１１４】
すると、ブラシ４２０の２つの接触アーム４２２が、接点部４１１、４１２に各々接触する。これにより、デジタルカメラに信号が出力され、当該カメラのズーム拡大機能が作動する。
【０１１５】
このとき、ロータ３００の一端部が、原点復帰手段７００の一方の第２のアーム部７３０を押圧する。これにより、一方のコイル部７１０が圧縮される。
【０１１６】
その後、操作レバー２００が開放されると、一方のコイル部７１０の付勢力により、ロータ３００の一端部が一方の第２のアーム部７３０に他方の揺動方向に向けて押し戻される。これにより、操作レバー２００及びロータ３００が原点位置に復帰する。
【０１１７】
操作レバー２００を、原点位置から他方の揺動方向に向けて揺動操作すると、ロータ３００が操作レバー２００と共に、前記他方の揺動方向に揺動する。
【０１１８】
すると、ブラシ４２０の２つの接触アーム４２２が、接点部４１１、４１３に各々接触する。これにより、デジタルカメラに信号が出力され、当該カメラのズーム縮小機能が作動する。
【０１１９】
このとき、ロータ３００の他端部が、原点復帰手段７００の他方の第２のアーム部７３０を押圧する。これにより、他方のコイル部７１０が圧縮される。
【０１２０】
その後、操作レバー２００が開放されると、他方のコイル部７１０の付勢力により、
ロータ３００の他端部が他方の第２のアーム部７３０に一方の揺動方向に向けて押し戻される。これにより、操作レバー２００及びロータ３００が原点位置に復帰する。
【０１２１】
操作レバー２００が、図６（ｂ）に示すように、原点位置から押下操作されると、当該操作レバー２００の傾斜面２１２ｂ１が、押下部材５００のヘッド部５１２を押下する。すると、押下部材５００の軸支部５１１が弾性変形すると共に、ヘッド部５１２が押下スイッチ６００に向けて移動する。そして、ヘッド部５１２が押下スイッチ６００の第２の可動接点部６５０の第２の接点本体６５１の頂部を押下する。
【０１２２】
すると、４つの第２の脚部６５２及び第２の接点部本体６５１が弾性変形し、第２の接点部本体６５１の頂部が第１の接点部本体６４１の頂部に接触する。これにより、第１の固定接点部６１０、２つの第２の固定接点部６２０及び第１、第２の可動接点部６４０、６５０が導通し、信号がデジタルカメラに出力される。このようにして、押下スイッチ６００の第１段階のスイッチがオンとなり、デジタルカメラのオートフォーカス機能が作動する。
【０１２３】
その後、操作レバー２００が開放されると、第２の接点本体６５１、４つの第２の脚部６５２及び軸支部５１１が復元する。この復元力により、ヘッド部５１２が押下スイッチ６００から離れる方向に向けて移動し、操作レバー２００の傾斜面２１２ｂ１を原点位置に向けて押し上げる。これにより、操作レバー２００が原点位置に復帰する。
【０１２４】
操作レバー２００が、図６（ｃ）に示すように、更に押下操作されると、当該操作レバー２００の傾斜面２１２ｂ１が、押下部材５００のヘッド部５１２を押下する。すると、押下部材５００の軸支部５１１が弾性変形すると共に、ヘッド部５１２が押下スイッチ６００に向けて移動する。
【０１２５】
すると、第１の接点部本体６４１の頂部が第２の接点部本体６５１の頂部を介してヘッド部５１２に押下される。これにより、４つの第２の脚部６５２、第２の接点部本体６５１及び第１の接点部本体６４１が弾性変形し、第２の接点部本体６５１の頂部が第１の接点部本体６４１を介して第３の固定接点部６３０の一端部の露出部に接触する。これにより、これにより、第１の固定接点部６１０、２つの第２の固定接点部６２０、第３の固定接点部６３０及び第１、第２の可動接点部６４０、６５０が導通し、その信号がデジタルカメラに出力される。このようにして、押下スイッチ６００の第２段階のスイッチがオンとなる（即ち、前記デジタルカメラのシャッタスイッチがオンとなる）。
【０１２６】
その後、操作レバー２００が開放されると、第１の接点本体６４１、第２の接点本体６５１、４つの第２の脚部６５２及び軸支部５１１が復元する。この復元力により、ヘッド部５１２が押下スイッチ６００から離れる方向に向けて移動し、操作レバー２００の傾斜面２１２ｂ１を原点位置に向けて押し上げる。
【０１２７】
このような複合操作型入力装置による場合、操作レバー２００を押下操作すると、押下部材５００のヘッド部５１２が押下スイッチ６００に向けて移動し、当該押下スイッチ６００の第２の可動接点部６４０又は第１、第２の可動接点部６４０、６５０を押下して弾性変形させるようになっている。このため、押下操作の操作感を向上させることができる。
【０１２８】
しかも、押下部材５００が操作レバー２００の下方に配置されると共に、押下スイッチ６００が第２の可動接点部６５０の頂部をケース１００’の厚み方向に向けた状態で、押下部材５００に対向配置されている。このため、操作レバー２００と押下部材５００とを上下に並べて配置することができる一方、押下部材５００と押下スイッチ６００とをケース１００の厚み方向に並べて配置することができる。よって、前記複合操作型入力装置に押下スイッチ６００を備えたことにより生じる装置高の増大及び装置の厚みの増大を抑制することができる。
【０１２９】
更に、原点復帰手段７００として、２つのコイル部７１０と、第１、第２のアーム部７２０、７３０を有したものを用い、コイル部７１０及び第２のアーム部７３０を操作レバー２００の両側に配設している。このため、ケース１００の下端部の中央部を押下部材５００及び押下スイッチ６００の収容空間として用いることができる。この点でも、前記複合操作型入力装置に、押下スイッチ６００を備えたことにより生じる装置高の増大及び装置の厚みの増大を抑制することができる。
【実施例２】
【０１３０】
次に、本発明の第２の実施の形態に係る複合操作型入力装置について図面を参照しつつ説明する。図７は本発明の第２の実施の形態に係る複合操作型入力装置を示す図であって、（ａ）が概略的正面図、（ｂ）が概略的背面図、（ｃ）が概略的側面図、（ｄ）が概略的底面図、図８は同装置のフレームグランドを取り外した状態の概略的正面図、図９は同装置の分解斜視図、図１０は同装置の押下スイッチの固定接点部、位置検出手段の接点及びアース端子の露出部分を示すケースの模式図、図１１は同装置の図７のＢ−Ｂ断面図である。
【０１３１】
ここに掲げる複合操作型入力装置は、ケース１００’、操作レバー２００’、ロータ３００’、位置検出手段４００’のブラシ４２０’、押下部材５００’及び原点復帰手段７００’の形状の点とアース端子９００を更に備える点とで、実施例１の複合操作型入力装置と主に相違している。以下、その相違点について詳しく説明し、重複する部分については説明を省略する。なお、相違する部材の符号については、’を付して実施例１と区別する。
【０１３２】
ケース１００’は、図７、図８及び図９に示すように、頂部が丸くなった略五角形の板状のベース部１１０’と、このベース部１１０’の厚み方向の一面の下端部に設けられた底壁部１２０’と、ベース部１１０’の前記一面の中央部に設けられたスイッチ収容部１３０’と、ベース部１１０’の前記一面の両端部上に各々設けられた２つの側壁部１４０’と、ベース部１１０’の前記一面の両傾斜部上に各々設けられた２つの傾斜壁部１５０’と、ベース部１１０’の前記一面の頂部上に設けられた円弧壁部１６０’と、ロータ３００を操作レバー２００と同方向に揺動可能にガイドするガイド部１７０’と、ベース部１１０’の前記一面の２つの傾斜壁部１５０’の下方位置に各々設けられた２つの当接部１８０’とを有している。
【０１３３】
底壁部１２０’は、ベース部１１０の厚み方向の一面の下端部の中央部に位置する矩形状の第１の底板部１２１’と、この第１の底板部１２１の両端部に段差を有して連続する矩形状の第２の底板部１２２’とを有している。
【０１３４】
第２の底板部１２２’の下面には、フレームグランド８００の下側係止片８３０を係止する下側係止部１２２ａ’が設けられている。また、第２の底板部１２２’の段差部には、押下部材５００’の枠体５２０’の下側の角部の形状に合わせて傾斜面が設けられている。
【０１３５】
この下側係止部１２２ａ’は、第２の底板部１２２’の下面に設けられた矩形状の凹部と、この凹部の中心部に係止凸部とを有する形状となっている。
【０１３６】
傾斜壁部１５０’の外面には、フレームグランド８００の上側係止片８２０を係止する上側係止部１５１’が設けられている。上側係止部１５１’は、傾斜壁部１５０’の上面に設けられた矩形状の凹部と、この凹部の中心部に係止凸部とを有する形状となっている。
【０１３７】
側壁部１４０’は、底壁部１２０’の第２の底板部１２２’と傾斜壁部１５０’とに連続している。この側壁部１４０の外面には、フレームグランド８００の側壁板８４０が嵌まり込む凹部が設けられている。
【０１３８】
スイッチ収容部１３０’は、図９に示すように、スイッチ収容部１３０と突脈１３１’の形状が異なっている。
【０１３９】
突脈１３１’は略半円弧状の部位であって、２つのサイド円弧部１３１ａ’と、このサイド円弧部１３１ａ’の間の中央円弧部１３１ｂ’とを有している。
【０１４０】
サイド円弧部１３１ａ’の高さ寸法は、底壁部１２０’、側壁部１４０’及び傾斜壁部１５０’の高さ寸法よりも各々低くなっている。また、サイド円弧部１３１ａ’の内面は、押下部材５００’の枠体５２０’の端部の外面の形状に合わせて平坦面になっている。
【０１４１】
中央円弧部１３１ｂ’の高さ寸法は、サイド円弧部１３１ａ’の高さ寸法の略半分となっている。この中央円弧部１３１ｂ’の両端部は、押下部材５００’の枠体５２０’の端部の外面の形状に合わせて傾斜面が設けられている。
【０１４２】
ガイド部１７０’は、側壁部１４０’、傾斜壁部’１５０及び円弧壁部１６０’の内面に設けられている略半円弧状の第１のガイド面１７１’と、突脈１３１’の外面に設けられており且つ第１のガイド面１７１’との間でロータ３００’を揺動自在にガイドする略半円弧状の第２のガイド面１７２’とを有している。
【０１４３】
当接部１８０’は略円弧状の凸部である。この当接部１８０’が、原点復帰手段７００’の長さ方向の端面の一部に当接する第２の当接部に相当する。
【０１４４】
ロータ３００’は、図９に示すように、ロータ３００と同様の円弧状の部材である。このロータ３００’の幅方向の一面の中央部には、操作レバー２００’の取付部２１１’の切欠き部２１１ａ’が上下方向に移動自在に嵌まり込む取付凹部３１０’が設けられている。
【０１４５】
ロータ３００’の幅方向の他面には、図９及び図１１に示すように、取付凹部３１０’に連通する略円弧状の収容凹部３２０’と、この収容凹部３２０’の長さ方向の両端部に各々連通する図示されない２つの略円弧状のガイド凹部とが設けられている。
【０１４６】
収容凹部３２０’は、原点復帰手段７００’を収容する溝である。この収容凹部３２０’の長さ方向の両端面が、原点復帰手段７００’の前記長さ方向の両端面の残りの部分に当接する第１の当接部に相当する。
【０１４７】
前記ガイド凹部は、ケース１００’の当接部１８０’が操作レバー２００’の２つの揺動方向に移動自在に嵌まり込む溝である。即ち、当接部１８０’は、操作レバー２００’及びロータ３００’の揺動に応じて、前記ガイド凹部内を移動して収容凹部３２０’内に侵入し、原点復帰手段７００’の前記端面の一部を押圧する。
【０１４８】
また、ロータ３００’の前記他面には、位置検出手段４００’のブラシ４２０’の本体部４２１’の２つの取付孔に溶着される図示されない２つのボスが設けられている。
【０１４９】
原点復帰手段７００’は、図９及び図１１に示すように、略円弧状のコイルスプリングである。この原点復帰手段７００’が、ロータ３００’の収容凹部３２０’に収容され、２つの当接部１８０’の間に保持される。このように原点復帰手段７００’が２つの当接部１８０’の間で保持されることにより、ロータ３００’が原点位置で保持される。
【０１５０】
操作レバー２００’は、図９及び図１１に示すように、軸部２１０’の取付部２１１’の形状が操作レバー２００と異なっている。この取付部２１１’は、厚み方向の他面に略矩形状の切欠き部２１１ａ’が設けられた形状となっている。
【０１５１】
この切欠き部２１１ａ’の長さ寸法は、取付凹部３１０’の長さ寸法よりも長くなっている。この切欠き部２１１ａ’は、取付凹部３１０’及びスイッチ収容部１３０’のサイド円弧部１３１ａ’の間に上下動可能に嵌まり込む。切欠き部２１１ａ’の下側縁部は、図１１に示すように、スイッチ収容部１３０’の中央円弧部１３１ｂ’に下方に位置して当接可能になっている。即ち、切欠き部２１１ａ’の下側縁部が操作レバー２００の上方への抜け止めとして機能している。
【０１５２】
押下部材５００’は、枠体５２０’の形状が押下部材５００と異なっている。具体的には、枠体５２０’の両端部が、中央円弧部１３１ｂ’の傾斜面、２つのサイド円弧部１３１ａ’の内面及び底壁部１２０’の第２の底板部１２２’の段差部の傾斜面に対応した形状となっている。即ち、枠体５２０’がケース１００’のスイッチ収容部１３０’に嵌まり込み保持されるようになっている。
【０１５３】
この枠体５２０’の両端部も、２つの第１、第２、第３の支持部１３２’、１３３’、１３４’上に載置され、当該第１、第２、第３の支持部１３２’、１３３’、１３４’との間で、第１の可動接点部６４０の２つの第１の脚部６４２及び第２の可動接点部６５０の４つの第２の脚部６５２を挟持する。このようにして第１、第２の可動接点部６４０、６５０の浮き上がりを防止している。
【０１５４】
位置検出手段４００’は、ブラシ４２０’の形状が位置検出手段４００と異なっている。ブラシ４２０’は、ブラシ４２０よりも長い略円弧状の部位である。接触アーム４２２’の先端部はケース１００’の厚み方向に向けて折り曲げられている。
【０１５５】
アース端子９００はベース部１１０に埋設される金属板である。このアース端子９００は、ベース部１１０の上端部から各々突出する３つの避雷針部９１０と、ベース部１１０の他面から露出し、前記実装用基板のアースパターンに半田接続される図示しないグランド接続部とを有している。
【０１５６】
以下、このような構成の複合操作型入力装置の組み立て手順について説明する。まず、ケース１００’の各部を樹脂成形するに当たり、押下スイッチ６００の第１の固定接点部６１０、２つの第２の固定接点部６２０、第３の固定接点部６３０、位置検出手段４００’の接点部４１１’、４１２’、４１３’及びアース端子９００をインサート成形する。
【０１５７】
このとき、アース端子９００の避雷針部９１０をベース部１１０’の上端部から突出させ、そのグランド接続部をベース部１１０の他面から露出させる。なお、第１の固定接点部６１０、２つの第２の固定接点部６２０、第３の固定接点部６３０、位置検出手段４００’の接点部４１１’、４１２’、４１３’については、実施例１と同様であるため、その説明は省略する。
【０１５８】
その後、押下スイッチ６００の第１、第２の可動接点部６４０、６５０を実施例１と同様にスイッチ収容部１３０’に収容する。
【０１５９】
その後、押下部材５００’の枠体５２０’を、ケース１００’のスイッチ収容部１３０’に位置合わせをしつつ挿入する。すると、押下部材５００’のヘッド部５１２’が押下スイッチ６００の第２の可動接点部６５０の頂部に対向配置される。これと共に、枠体５２０’の両端部が、２つの第１、第２、第３の支持部１３２’、１３３’、１３４’上に載置される。これにより、第１の可動接点部６４０の２つの第１の脚部６４２及び第２の可動接点部６５０の４つの第２の脚部６５２が枠体５２０’の両端部と、第１、第２、第３の支持部１３２’、１３３’、１３４’との間で挟持される。
【０１６０】
そして、原点復帰手段７００’をロータ３００’の収容凹部３２０’に位置合わせをしつつ挿入する。すると、収容凹部３２０’の長さ方向の両端面が原点復帰手段７００’の長さ方向の両端部の一部に当接する。
【０１６１】
この状態で、ロータ３００’の２つのガイド凹部に、ケース１００’の２つの当接部１８０’を位置合わせしつつ挿入する。すると、ロータ３００’がケース１００’のガイド部１７０’に嵌まり込み、２つの当接部１８０’が原点復帰手段７００’の長さ方向の両端部の残りの部分に当接する。
【０１６２】
その後、操作レバー２００’の切欠き部２１１ａ’を、ロータ３００’の取付凹部３１０’及びケース１００’のスイッチ収容部１３０’のサイド円弧部１３１ａ’の間に位置合わせをしつつ挿入する。
【０１６３】
その後、フレームグランド８００を、実施例１と同様にケース１００’に取り付ける。これにより、フレームグランド８００とケース１００’との間で上記各構成部材が保持される。
【０１６４】
その後、位置検出手段４００’の接点部４１１’、４１２’、４１３’の他端部をデジタルカメラの図示しない実装用基板の電極パターンに、押下スイッチ６００の第１の固定接点部６１０、２つの第２の固定接点部６２０、第３の固定接点部６３０の他端部を前記実装用基板の別の電極パターンに各々半田接続する。
【０１６５】
これと共に、フレームグランド８００の上側、下側係止片８２０、８３０の先端部及びアース端子９００の前記グランド接続部を前記実装用基板のアースパターンに各々半田接続する。
【０１６６】
以下、このようにして組み立てられる複合操作型入力装置の使用方法及び各部の動作について説明する。まず、操作レバー２００’を、一方の揺動方向に向けて揺動操作すると、ロータ３００’が操作レバー２００’と共に、前記一方の揺動方向に揺動する。
【０１６７】
すると、ブラシ４２０’の２つの接触アーム４２２’が、位置検出手段４００’の接点部４１１’、４１２’に各々接触する。これにより、デジタルカメラに向けて信号が出力され、当該カメラのズーム拡大機能が作動する。
【０１６８】
このとき、ケース１００’の一方の当接部１８０’が、ロータ３００’の一方のガイド凹部から収容凹部３２０’内に移動し、原点復帰手段７００’の長さ方向の一端面の一部を押圧する。これにより、原点復帰手段７００’が一方の当接部１８０’と収容凹部３２０’の他方の端面との間で圧縮される。
【０１６９】
その後、操作レバー２００’が開放されると、原点復帰手段７００’の付勢力により、収容凹部３２０’の他方の端面が他方の揺動方向に向けて押し戻される。これにより、操作レバー２００及びロータ３００’が原点位置に復帰する。
【０１７０】
操作レバー２００’を、他方の揺動方向に向けて揺動操作すると、ロータ３００’が操作レバー２００’と共に、前記他方の揺動方向に揺動する。
【０１７１】
すると、ブラシ４２０’の２つの接触アーム４２２’が、接点部４１１’、４１３’に各々接触する。これにより、デジタルカメラに向けて信号が出力され、当該カメラのズーム縮小機能が作動する。
【０１７２】
このとき、ケース１００’の他方の当接部１８０’が、ロータ３００’の他方のガイド凹部から収容凹部３２０’内に移動し、原点復帰手段７００’の長さ方向の他端面の一部を押圧する。これにより、原点復帰手段７００’が他方の当接部１８０’と収容凹部３２０’の一方の端面との間で圧縮される。
【０１７３】
その後、操作レバー２００’が開放されると、原点復帰手段７００’の付勢力により、収容凹部３２０’の一方の端面が一方の揺動方向に向けて押し戻される。これにより、操作レバー２００及びロータ３００’が原点位置に復帰する。
【０１７４】
なお、操作レバー２００’が押下操作方法及び押下操作時の各部の動作は、実施例１と同様であるため、説明を省略する。
【０１７５】
このような複合操作型入力装置による場合、操作レバー２００’を押下操作すると、押下部材５００’のヘッド部５１２’が押下スイッチ６００に向けて移動し、当該押下スイッチ６００の第２の可動接点部６４０又は第１、第２の可動接点部６４０、６５０を押下して弾性変形させるようになっている。このため、押下操作の操作感を向上させることができる。
【０１７６】
しかも、押下部材５００’が操作レバー２００’の下方に配置されると共に、押下スイッチ６００が第２の可動接点部６５０の頂部をケース１００’の厚み方向に向けた状態で、押下部材５００’に対向配置されている。このため、操作レバー２００’と押下部材５００’とを上下に並べて配置することができる一方、押下部材５００’と押下スイッチ６００’とをケース１００’の厚み方向に並べて配置することができる。よって、前記複合操作型入力装置に押下スイッチ６００を備えたことにより生じる装置高の増大及び装置の厚みの増大を抑制することができる。
【０１７７】
更に、原点復帰手段７００’がロータ３００’の収容凹部３２０’に収容されているので、ケース１００’の下端部の中央部を、押下部材５００’及び押下スイッチ６００を収容するための収容空間として用いることができる。この点でも、前記複合操作型入力装置に、押下スイッチ６００を備えたことにより生じる装置高の増大及び装置の厚みの増大を抑制することができる。
【実施例３】
【０１７８】
次に、本発明の第３の実施の形態に係る複合操作型入力装置について図面を参照しつつ説明する。図１２は本発明の第３の実施の形態に係る複合操作型入力装置の分解斜視図、図１３は同装置の押下スイッチの固定接点部、位置検出手段の接点及びアース端子が設けられたケースを示す図であって、（ａ）が正面図、（ｂ）がＣ−Ｃ断面図、（ｃ）が（ｂ）の一部拡大図、図１４は同装置の操作レバーを示す図であって、（ａ）が正面図、（ｂ）が背面図、（ｃ）が側面図、（ｄ）が平面図、（ｅ）が底面図、（ｆ）がＤ−Ｄ断面図、図１５は同装置のロータを示す図であって、（ａ）が正面図、（ｂ）が背面図、（ｃ）が側面図、（ｄ）が平面図、（ｅ）が底面図、図１６は同装置の押下部材を示す図であって、（ａ）が正面図、（ｂ）が背面図、（ｃ）が側面図、（ｄ）が平面図、（ｅ）が底面図、図１７は同装置のフレームグランドを取り外した状態の概略的正面図であって、（ａ）は操作レバーが原点位置に位置した状態を示す図、（ｂ）は操作レバーが揺動操作された状態を示す図、図１８は同装置の別の押下スイッチの固定接点部、位置検出手段の接点及びアース端子を示すケースを示す図であって、（ａ）が正面図、（ｂ）がＥ−Ｅ断面図、（ｃ）が（ｂ）の一部拡大図である。
【０１７９】
ここに掲げる複合操作型入力装置は、ケース１００’’、操作レバー２００’’、ロータ３００’’、位置検出手段４００’’のブラシ４２０’’、押下部材５００’’、押下スイッチ６００’’の固定接点部及びフレームグランド８００’’の形状の点と、２つの原点復帰手段７００’’を備える点と、アース端子９００を更に備える点とで、実施例１の複合操作型入力装置と主に相違している。以下、その相違点について詳しく説明し、重複する部分については説明を省略する。なお、相違する部材の符号については、’’を付して実施例１及び２と区別する。
【０１８０】
ケース１００’’は、図１２及び図１３に示すように、頂部が丸くなった略五角形の板状のベース部１１０’’と、このベース部１１０’’の厚み方向の一面の下端部の中央部に設けられた底壁部１２０’’と、ベース部１１０’’の前記一面の中央部に設けられたスイッチ収容部１３０’’と、ベース部１１０’’の前記一面のスイッチ収容部１３０’’の両端部に設けられた２つのスプリング収容部１４０’’と、ベース部１１０’’の前記一面の両傾斜部上に各々設けられた２つの傾斜壁部１５０’’と、ベース部１１０’’の前記一面の頂部上に設けられた円弧壁部１６０’’と、ロータ３００を操作レバー２００と同方向に揺動可能にガイドするガイド部１７０’’とを有している。
【０１８１】
ベース部１１０’’の厚み方向の他面には、位置検出手段４００’’の接点部４１１’’、４１２’’、４１３’’の他端部、及び押下スイッチ６００’’の第１の固定接点部６１０’’、２つの第２の固定接点部６２０’’、第３の固定接点部６３０’’の他端部をケース１００’’外に突出させる８つの接続用凹部１１１’’が設けられている。
【０１８２】
この接続用凹部１１１’’は、ケース１００’’がデジタルカメラの実装用基板上にセットされた状態で、当該実装用基板との間に空間を形成する。この空間に、位置検出手段４００’’の接点部４１１’’、４１２’’、４１３’’の他端部、及び押下スイッチ６００’’の第１の固定接点部６１０’’、２つの第２の固定接点部６２０’’、第３の固定接点部６３０’’の他端部を前記実装用基板に接続するための半田が流し込まれる。このように前記空間に半田を流し込むことにより、位置検出手段４００’’の接点部４１１’’、４１２’’、４１３’’の他端部、及び押下スイッチ６００’’の第１の固定接点部６１０’’、２つの第２の固定接点部６２０’’、第３の固定接点部６３０’’の他端部を前記実装用基板に電気的に接続すると共に、ケース１００’’を前記実装用基板に機械的に強固に接続するようになっている。
【０１８３】
底壁部１２０’’は矩形状の板状体である。
【０１８４】
スプリング収容部１４０’’は、底壁部１２０’’の端部に連続する略直方体の角柱部１４１’’と、この角柱部１４１’’に設けられ、原点復帰手段７００’’を収容する凹状の収容部本体１４２’’とを有する。
【０１８５】
収容部本体１４２’’の上端部の中央部には開口１４２ａ’’が設けられている。収容部本体１４２’’の底面には、開口部１４２ａ’’に通じる略円弧状のガイド溝１４２ｂ’’が設けられている。ガイド溝１４２ｂ’’はロータ３００’’の腕部３３０’’を揺動自在にガイドする。
【０１８６】
収容部本体１４２’’の上端部の開口１４２ａ’’の両縁部は、ロータ３００’’の両端面が当接可能になっている。即ち、収容部本体１４２’’の前記両縁部がロータ３００’’の所定以上の揺動を防止する当て止め部となっている。
【０１８７】
スイッチ収容部１３０’’は、スイッチ収容部１３０と突脈１３１’’の形状が異なっている。
【０１８８】
突脈１３１’’は、底壁部’’と、２つのスプリング収容部１４０’’に沿って設けられた略四角の枠状体となっている。
【０１８９】
ガイド部１７０’’は、円弧壁部１６０’’の内面に設けられている円弧状のガイド面１７１’’と、突脈１３１’の頂部に一体的に設けられており且つガイド面１７１’’との間でロータ３００’’を揺動自在に保持する略半円柱状のガイド凸部１７２’’を有している。
【０１９０】
ガイド凸部１７２’’の厚み方向の他端部は、位置検出手段６００’’のブラシ４２０’’のリング部４２１ｂ’’及びロータ３００’’の板部３４０’’との干渉を避けるために、波状に切り欠かれている。
【０１９１】
原点復帰手段７００’’は、図１２及び図１７に示すように、スプリング収容部１４０’’の収容部本体１４２’’に収容されるコイルスプリングである。
【０１９２】
ロータ３００’’は、図１２、図１５及び図１７に示すように、略円弧状の部材である。このロータ３００’’の幅方向の一面の中央部には、操作レバー２００’’の取付部２１１’’が上下方向に移動自在に嵌まり込む取付凹部３１０’’が設けられている。
【０１９３】
ロータ３００’’の幅方向の他面には、位置検出手段６００’’のブラシ４２０’’を収容する略円弧状の収容凹部３２０’’が設けられている。収容凹部３２０’’上端部の中央部には、ブラシ４２０’’の圧入板４２１ａ’’が圧入される圧入部３２１’’が設けられている。収容凹部３２０’’の下端部の中央部は開放されており、ブラシ４２０’’のリング部４２１ｂ’’が突出するようになっている。
【０１９４】
ロータ３００’’の両端部には、２つの揺動方向に向けて延びる２つの腕部３３０’’が設けられている。この腕部３３０’’は、スプリング収容部１４０’’の開口１４２ａ’’からガイド溝１４２ｂ’’に入り込み、原点復帰手段７００’’に当接する。これにより、ロータ３００’’が原点位置で保持される。
【０１９５】
ロータ３００’’の両端部の端面は、２つのスプリング収容部１４０の収容部本体１４２’’の前記両縁部に当接可能になっている。
【０１９６】
ロータ３００’’の下端部には、収容凹部３２０’’から突出したブラシ４２０’’のリング部４２１ｂ’’をガイドする略半円形の板部３４０’’が設けられている。
【０１９７】
操作レバー２００’’は、図１２、図１４及び図１７に示すように、取付部２１１’’の背面の形状の点及び押下部２１２’’の背面部が取付部２１１’’よりも若干大きくなっている点で、操作レバー２００と異なっている。
【０１９８】
押下部材５００’’は、図１２、図１６及び図１７に示すように、枠体５２０’’の形状が押下部材５００と異なっている。具体的には、枠体５２０’’の両端部の外面が２つのスプリング収容部１４０’’の本体部’’の内壁面の形状に対応した平坦面となっている。即ち、枠体５２０’がケース１００’の２つのスプリング収容部１４０’’の間に嵌まり込み、保持されるようになっている。
【０１９９】
この枠体５２０’’の両端部も、２つの第１、第２、第３の支持部１３２’’、１３３’’、１３４’’上に載置され、当該第１、第２、第３の支持部１３２’’、１３３’’、１３４’’との間で、第１の可動接点部６４０’’の２つの第１の脚部６４２’’及び第２の可動接点部６５０’’の４つの第２の脚部６５２’’を挟持する。このようにして第１、第２の可動接点部６４０’’、６５０’’の浮き上がりを防止している。
【０２００】
位置検出手段４００’’は、接点部４１１’’、４１２’’、４１３’’の形状及びブラシ４２０’’の形状が位置検出手段４００と異なっている。
【０２０１】
接点部４１１’’は、その一端部がベース部１１０の前記一面の中央部から露出する。接点部４１１’’の他端部は二股に分かれている。その一方がケース１００’’のベース部１１０’’の一端部から突出する。その他方がケース１００’’のベース部１１０’’の下端部の接続用凹部１１１’’から突出し、一方のスプリング収容部１４０’’に沿って上方に折り曲げられている。
【０２０２】
接点部４１２’’は、その一端部がベース部１１０の前記一面の接点部４１１の一方側から露出し、その他端部がケース１００’’のベース部１１０’’の一端部の接続用凹部１１１’’から突出し、一方のスプリング収容部１４０’’に沿って上方に折り曲げられている。
【０２０３】
接点部４１３’’は、その一端部がベース部１１０の前記一面の接点部４１１の他方側から露出し、その他端部がケース１００’’のベース部１１０’’の他端部の接続用凹部１１１’’から突出し、他方のスプリング収容部１４０’’に沿って上方に折り曲げられている。
【０２０４】
ブラシ４２０’’は、図１２及び図１７に示すように、ロータ３００’’に取り付けられる本体部４２１’’と、この本体部４２１’’の両端部に各々連続する２つの接触アーム４２２’’とを有する。
【０２０５】
本体部４２１’’は、上端部に凸状の圧入板４２１ａ’’が、下端部にリング部４２１ｂ’’が設けられている。圧入板４２１ａ’’は、ロータ３００の圧入部３２１’’に圧入され、これによりブラシ４２０’’が収容凹部３２０’’内で保持される。
【０２０６】
接触アーム４２２’’の先端部はケース１００’’の厚み方向に向けて折り曲げられている。
【０２０７】
押下スイッチ６００’’は、図１２及び図１３に示すように、ベース部１１０に埋設された第１の固定接点部６１０’’、２つの第２の固定接点部６２０’’及び第３の固定接点部６３０’’の形状が、押下スイッチ６００と異なっている。
【０２０８】
第１の固定接点部６１０’’の一端部は二股に分かれており、その先端部がスイッチ収容部１３０’’の接点載置部１３５’’の中央部の上端部及び下端部から露出する。第１の固定接点部６１０’’の他端部は、ケース１００’’のベース部１１０’’の下端部の接続用凹部１１１’’から突出し、底壁部１２０’’に沿って上方に折り曲げられている。
【０２０９】
一方の第２の固定接点部６２０’’の一端部は一方の第１の支持部１３２’’の凹部の底面上に露出する。一方の第２の固定接点部６２０’’の他端部はケース１００’’のベース部１１０’’の下端部の接続用凹部１１１’’から突出し、一方のスプリング収容部１４０’’に沿って上方に折り曲げられている。
【０２１０】
他方の第２の固定接点部６２０’’の一端部は、他方の第２の支持部１３３’’の凹部の底面上に露出する。他方の第２の固定接点部６２０’’の他端部は二股に分かれている。その一方がケース１００’’のベース部１１０’’の下端部の接続用凹部１１１’’から突出し、底壁部１２０’’に沿って上方に折り曲げられている。他方がケース１００’’のベース部１１０’’の下端部の接続用凹部１１１’’から突出し、他方のスプリング収容部１４０’’に沿って上方に折り曲げられている。
【０２１１】
第３の固定接点部６３０’’の一端部は接点載置部１３５’’の中心部から露出する。第３の固定接点部６３０’’の他端部は二股に分かれている。その一方はケース１００’’のベース部１１０’’の下端部の接続用凹部１１１’’から突出し、他方のスプリング収容部１４０’’に沿って上方に折り曲げられている。その他方はケース１００’’のベース部１１０’’の他端部から突出する。
【０２１２】
フレームグランド８００’’は、図１２に示すように、２つの下側係止片８３０’’がベース板８１０’’の下端部の中央部に各々設けられている点と、ベース板８１０’’の両端部に２つの接続アーム８４０’’が設けられている点で、フレームグランド８００と異なっている。
【０２１３】
一方の下側係止片８３０’’は、第１の固定接点部６１０の他端部に係止される。他方の下側係止片８３０’’は、他方の第２の固定接点部６２０の一方の他端部に係止される。
【０２１４】
接続アーム８４０’’は前記実装用基板の図示しないアースパターンに半田接続される。この接続アーム８４０’’の幅方向の両端部には、半田接続の際に、半田溶解の熱が接続アーム８４０’’の先端部に溜まるようにするための切欠き部が設けられている。
【０２１５】
アース端子９００はベース部１１０に埋設される金属板である。このアース端子９００は、ベース部１１０の上端部から各々突出する３つの避雷針部９１０と、ベース部１１０の他面から露出し、前記実装用基板のアースパターンに半田接続される図示しないグランド接続部とを有している。
【０２１６】
以下、このような構成の複合操作型入力装置の組み立て手順について説明する。まず、ケース１００’の各部を樹脂成形するに当たり、押下スイッチ６００’’の第１の固定接点部６１０’’、２つの第２の固定接点部６２０’’、第３の固定接点部６３０’’、位置検出手段４００’’の接点部４１１’’、４１２’’、４１３’’及びアース端子９００をインサート成形する。なお、第１の固定接点部６１０’’、２つの第２の固定接点部６２０’’及び第３の固定接点部６３０’’の他端部は上述の通り折り曲げられている。
【０２１７】
このとき、接点部４１１’’の一端部を、ベース部１１０の前記一面の中央部から露出させる。接点部４１１’’の二股状の他端部の一方をベース部１１０’’の一端部から突出させ、その他方をベース部１１０’’の下端部の接続用凹部１１１’’から突出させる。接点部４１２’’の一端部をベース部１１０の前記一面の接点部４１１の一方側から露出させ、その他端部をベース部１１０’’の一端部の接続用凹部１１１’’から突出させる。接点部４１３’’の一端部をベース部１１０の前記一面の接点部４１１の他方側から露出させ、その他端部をベース部１１０’’の他端部の接続用凹部１１１’’から突出させる。
【０２１８】
第１の固定接点部６１０’’の二股状の一端部の先端部をスイッチ収容部１３０’’の接点載置部１３５’’の中央部の上端部及び下端部から各々露出させ、その他端部をベース部１１０’’の下端部の接続用凹部１１１’’から突出させる。一方の第２の固定接点部６２０’’の一端部を一方の第１の支持部１３２’’の凹部の底面上に露出させ、その他端部をベース部１１０’’の下端部の接続用凹部１１１’’から突出させる。他方の第２の固定接点部６２０’’の一端部を他方の第２の支持部１３３’’の凹部の底面上に露出させ、その二股状の他端部をベース部１１０’’の下端部の接続用凹部１１１’’から各々突出させる。
【０２１９】
第３の固定接点部６３０’’の一端部を接点載置部１３５’’の中心部から露出させる。第３の固定接点部６３０’’の二股状の他端部の一方をベース部１１０’’の下端部の接続用凹部１１１’’から突出させ、その他方をベース部１１０’’の他端部から突出させる。
【０２２０】
アース端子９００の避雷針部９１０をベース部１１０’’の上端部から突出させ、そのグランド接続部をベース部１１０’’の他面から露出させる。
【０２２１】
その後、押下スイッチ６００’’の第１、第２の可動接点部６４０’’、６５０’’を実施例１と同様にスイッチ収容部１３０’’に収容する。
【０２２２】
そして、押下部材５００’’の枠体５２０’’を、ケース１００’’の２つのスプリング収容部１４０’’の間に位置合わせをしつつ挿入する。すると、押下部材５００’’のヘッド部５１２’’が押下スイッチ６００’’の第２の可動接点部６５０’’の頂部に対向配置される。これと共に、枠体５２０’’の両端部が、２つの第１、第２、第３の支持部１３２’’、１３３’’、１３４’’上に載置される。これにより、第１の可動接点部６４０’’の２つの第１の脚部６４２’’及び第２の可動接点部６５０’’の４つの第２の脚部６５２’’が枠体５２０’’の両端部と、第１、第２、第３の支持部１３２’’、１３３’’、１３４’’との間で挟持される。
【０２２３】
そして、２つの原点復帰手段７００’’をケース１００’’の２つのスプリング収容部１４０’’に収容させる。
【０２２４】
その後、ロータ３００’’を、ケース１００’’のガイド部１７０’’に嵌め込む。すると、ロータ３００’’の２つの腕部３３０’’が２つのスプリング収容部１４０’’の開口１４２ａ’’からガイド溝１４２ｂ’’に入り込み、当該スプリング収容部１４０’’内の２つの原点復帰手段７００’’に当接する。
【０２２５】
その後、操作レバー２００’’を、ロータ３００’’の取付凹部３１０’’に嵌め込む。すると、操作レバー２００’’の傾斜面２１２ｂ１’’が押下部材５００’’のヘッド部５１２’’に当接する。
【０２２６】
その後、フレームグランド８００’’の２つの上側係止片８２０’’を、ケース１００’’の２つの上側係止部１５１’’に係止させると共に、フレームグランド８００’’の２つの下側係止片８３０’’を、ケース１００’’の底壁部１２０’’から露出した第１の固定接点部６１０’’の他端部及び他方の第２の固定接点部６２０’’の一方の他端部に係止させる。これにより、フレームグランド８００’’とケース１００’’との間で上記各構成部材が保持される。
【０２２７】
その後、図１３（ｂ）及び（ｃ）に示すように、ケース１００’’をデジタルカメラの実装用基板上にセットする。そして、ケース１００’’の８つの接続用凹部１１１’’と実装用基板との間の空間に半田を流し込み、位置検出手段４００’’の接点部４１１’’、４１２’’、４１３’’の他端部を前記実装用基板の電極パターンに、押下スイッチ６００の第１の固定接点部６１０’’、一方の第２の固定接点部６２０’’及び第３の固定接点部６３０’’の他端部を前記実装用基板の別の電極パターンに各々半田接続する。これにより、ケース１００’’が実装用基板上に固着される。
【０２２８】
そして、フレームグランド８００’’の上側、下側係止片８２０、８３０の先端部、接続アーム８４０’’及びアース端子９００のグランド接続部を前記実装用基板のアースパターンに各々半田接続する。
【０２２９】
以下、このようにして組み立てられる複合操作型入力装置の使用方法及び各部の動作について説明する。まず、操作レバー２００’’を、一方の揺動方向に向けて揺動操作すると、ロータ３００’’が操作レバー２００’’と共に、前記一方の揺動方向に揺動する。
【０２３０】
すると、ブラシ４２０’’の２つの接触アーム４２２’’が、位置検出手段４００’’の接点部４１１’’、４１２’’に各々接触する。これにより、デジタルカメラに向けて信号が出力され、当該カメラのズーム拡大機能が作動する。
【０２３１】
このとき、ロータ３００’’の一方の腕部３３０’’が一方のスプリング収容部１４０’’のガイド溝１４２ｂ’’に沿って、当該スプリング収容部１４０’’内に侵入し、一方の原点復帰手段７００’’を押圧する。これにより、原点復帰手段７００’が圧縮される。
【０２３２】
その後、操作レバー２００’’が開放されると、原点復帰手段７００’の付勢力により、ロータ３００’’が他方の揺動方向に向けて押し戻される。これにより、操作レバー２００が原点位置に復帰する。
【０２３３】
操作レバー２００’’を、他方の揺動方向に向けて揺動操作すると、ロータ３００’’が操作レバー２００’’と共に、前記他方の揺動方向に揺動する。
【０２３４】
すると、ブラシ４２０’’の２つの接触アーム４２２’’が、接点部４１１’’、４１３’’に各々接触する。これにより、デジタルカメラに向けて信号が出力され、当該カメラのズーム縮小機能が作動する。
【０２３５】
このとき、ロータ３００’’の他方の腕部３３０’’が他方のスプリング収容部１４０’’のガイド溝１４２ｂ’’に沿って、当該スプリング収容部１４０’’内に侵入し、他方の原点復帰手段７００’’を押圧する。これにより、原点復帰手段７００’が圧縮される。
【０２３６】
その後、操作レバー２００’’が開放されると、原点復帰手段７００’の付勢力により、ロータ３００’’が他方の揺動方向に向けて押し戻される。これにより、操作レバー２００が原点位置に復帰する。
【０２３７】
なお、操作レバー２００’’が押下操作方法及び押下操作時の各部の動作は、実施例１と同様であるため、説明を省略する。
【０２３８】
このような複合操作型入力装置による場合、操作レバー２００’’を押下操作すると、押下部材５００’’のヘッド部５１２’’が押下スイッチ６００’’に向けて移動し、当該押下スイッチ６００’’の第２の可動接点部６４０’’又は第１、第２の可動接点部６４０’’、６５０’’を押下して弾性変形させるようになっている。このため、押下操作の操作感を向上させることができる。
【０２３９】
しかも、押下部材５００’’が操作レバー２００’’の下方に配置されると共に、押下スイッチ６００’’が第２の可動接点部６５０’’の頂部をケース１００’’の厚み方向に向けた状態で、押下部材５００’’に対向配置されている。このため、操作レバー２００’’と押下部材５００’’とを上下に並べて配置することができる一方、押下部材５００’’と押下スイッチ６００’’とをケース１００’’の厚み方向に並べて配置することができる。よって、前記複合操作型入力装置に押下スイッチ６００’’を備えたことにより生じる装置高の増大及び装置の厚みの増大を抑制することができる。
【０２４０】
更に、２つの原点復帰手段７００’’がケース１００’の両端部の２つのスプリング収容部１４０’’に収容されるようになっているので、ケース１００’の下端部の中央部を、押下部材５００’’及び押下スイッチ６００’’を収容するための収容空間として用いることができる。この点でも、前記複合操作型入力装置に、押下スイッチ６００’’を備えたことにより生じる装置高の増大及び装置の厚みの増大を抑制することができる。
【０２４１】
また、位置検出手段４００’’の接点部４１１’’、４１２’’、４１３’’の他端部、及び押下スイッチ６００の第１の固定接点部６１０’’、一方の第２の固定接点部６２０’’及び第３の固定接点部６３０’’の他端部を前記実装用基板に半田接続すると共に、ケース１００’’の接続用凹部１１１’’を前記前記実装用基板に半田接続するようになっている。このため、前記複合操作型入力装置を実装用基板上に固着する固着力が増大させることができる。
【０２４２】
なお、ケース１００、１００’、１００’’は、各構成部材を収容し得るものである限り、どのようなものを用いても構わない。
【０２４３】
ケース１００’’の接続用凹部１１１’’については、電子機器の実装用基板との間に半田を流し込むための空間を形成しうる限り任意に設計変更することが可能である。また、前記接続用凹部の数は任意に設定可能である。
【０２４４】
フレームグランド８００、８００’’については、設けるか否かは任意である。設けない場合には、フレームグランド８００、８００’’の代わりにケース１００、１００’、１００’’に取付可能な蓋体等を用いることができる。アース端子９００についても設けるか否かは任意である。
【０２４５】
操作レバー２００、２００’’については、押下移動可能であると共に、前記押下移動方向に交差する、相対する２つの揺動方向に向けて揺動可能である限りどのような設計変更を行っても構わない。
【０２４６】
押下部材５００、５００’、５００’’については、操作レバーの押下移動方向側の一端面に対向配置されており、前記操作レバーの一端面に押下されることにより、前記押下スイッチに向けて移動し、当該押下スイッチの被押下部を押下するようになっている限りどのような設計変更を行っても構わない。
【０２４７】
例えば、前記押下部材として、前記ケースに設けたガイド溝に当該ケースの厚み方向に向けて移動自在にガイドされる移動部材を用い、前記操作レバーの一端面に押下されることにより、前記押下スイッチに向けて移動し、当該押下スイッチの被押下部を押下するようにしてもよい。
【０２４８】
傾斜面２１２ｂ１、２１２ｂ１’、２１２ｂ１’’については、操作レバー２００、２００’’の押下部５１２、５１２’’（即ち、押下操作方向側の一端部）の下面に設けられているとしたが、前記押下部材の操作レバー対向面に設けることもできる。また、前記操作レバーの押下操作方向側の一端部及び押下部材の操作レバー対向面の双方に前記傾斜面を設けることもできる。
【０２４９】
また、前記操作レバーの押下操作方向側の一端部及び押下部材の操作レバー対向面の少なくとも一方が略球状である場合には、前記傾斜面を設けなくても、前記押下部材を押下スイッチに向けて動作させることが可能である。
【０２５０】
ロータ３００、３００’、３００’’については省略することが可能である。ロータ３００を省略する場合には、操作レバー２００の両端部に２つの腕部を設け、当該腕部が２つの第２のアーム部７３０に当接するようにすれば良い。ロータ３００’を省略する場合には、収容凹部３２０’の代わりに操作レバー２００’の取付部２１１’に原点復帰手段７００’の長さ方向の両端面の一部に当接する第１の当接部を設ければ良い。ロータ３００’’を省略する場合には、操作レバー２００の両端部に２つの腕部を設け、当該腕部が２つの原点復帰手段７００’’に当接するようにすれば良い。
【０２５１】
収容凹部３２０’については、ケース１００’に設けることが可能である。この場合、当接部１８０’をロータ３００’に設ける。また、前記ガイド凹部については、原点復帰手段７００’の厚み方向の一部を収容凹部３２０’に収容させ、当該収容凹部３２０’から露出した残りの部分に当接部１８０’を当接させるようにすれば、省略可能である。
【０２５２】
原点復帰手段７００、７００’、７００’’についても省略することが可能である。また、原点復帰手段７００は、第１のアーム部７２０を切断し、２つの部材とすることができる。この場合、第１のアーム部７２０は前記ケースに係止させる。原点復帰手段７００’、７００’’については、コイルスプリングの代わりに、その他のスプリングやゴム等の弾性樹脂等の弾性体を用いることができる。
【０２５３】
位置検出手段４００、４００’４００ ‘‘については、３つの接点と、ブラシとを有する構成であるとしたが、前記操作レバーの揺動位置を検出しうるものである限りどのようなものを用いても構わない。
【０２５４】
例えば、前記位置検出手段として、ベース部１１０、１１０’、１００’’に前記接点部の代わりに抵抗パターンを設け、前記ブラシを摺動させる可変抵抗器を用いることもできるし、前記操作レバーの揺動に応じて動作する磁気スイッチ等の近接スイッチを用いることもできる。なお、前記接点部を６つ以上有し、前記ブラシを選択的に接触させることにより、３以上の入力を行うことができる構成とすることも可能である。
【０２５５】
接点部４１１’’、４１２’’、４１３’’の形状については任意に設定可能である。例えば、図１８に示すように、接点部４１１’’、４１２’’、４１３’’の他端部を、実装用基板に沿って延ばし、その先端部を当該実装用基板に当接するように折り曲げた形状とすることができる。この点は、接点部４１１、４１２、４１３及び 接点部４１１’、４１２’、４１３’も同様である。
【０２５６】
押下スイッチ６００、６００’’については、前記押下部材の押下により動作するスイッチである限りどのようなものを用いても構わない。また、押下スイッチ６００、６００’’は、第２、第３の固定接点部６２０、６３０、６２０’’、６３０’’と、第１の可動接点部６４０、６４０’’を有する１段階のみの押下スイッチとすることができる。また、前記押下スイッチは、４以上の固定接点部と、３つ以上の可動接点部とを有した３段階以上の押下スイッチとすることもできる。
【０２５７】
第１の固定接点部６１０’’、２つの第２の固定接点部６２０’’及び第３の固定接点部６３０’’の他端部の形状については任意に設定可能である。例えば、図１８に示すように、第１の固定接点部６１０’’、２つの第２の固定接点部６２０’’及び第３の固定接点部６３０’’の他端部を、実装用基板に沿って延ばし、その先端部を当該実装用基板に当接するように折り曲げた形状とすることができる。この点は、第１の固定接点部６１０、２つの第２の固定接点部６２０及び第３の固定接点部６３０の他端部も同様である。なお、前記第２の固定接点部は、２つであるとして説明したが、一つあれば良い。
【０２５８】
上記実施例では、複合操作型入力装置は、デジタルカメラに搭載されるものとして説明したが、その他の電子機器に搭載可能である。
【図面の簡単な説明】
【０２５９】
【図１】本発明の第１の実施の形態に係る複合操作型入力装置の概略的正面図であって、（ａ）は操作レバーが原点位置に位置した状態を示す図、（ｂ）は操作レバーが押下操作された状態を示す図、（ｃ）は操作レバーが揺動操作された状態を示す図である。
【図２】同装置のフレームグランドを取り外した状態の概略的正面図であって、（ａ）は操作レバーが原点位置に位置した状態を示す図、（ｂ）は操作レバーが押下操作された状態を示す図、（ｃ）は操作レバーが揺動操作された状態を示す図である。
【図３】同装置の概略的分解斜視図である。
【図４】同装置の押下スイッチの固定接点部及び位置検出手段の接点の露出部分を示すケースの模式図である。
【図５】同装置の操作レバーを示す図であって、（ａ）が正面図、（ｂ）が背面図、（ｃ）が側面図、（ｄ）が平面図、（ｅ）が底面図、（ｆ）Ａ−Ａ断面図である。
【図６】同装置の操作レバー、押下部材本体及び押下スイッチを示す模式的断面図であって、（ａ）が押下スイッチの押下前の状態を示す図、（ｂ）が押下スイッチの第１段階の押下状態を示す図、（ｃ）が押下スイッチの第２段階の押下状態を示す図である。
【図７】本発明の第２の実施の形態に係る複合操作型入力装置を示す図であって、（ａ）が概略的正面図、（ｂ）が概略的背面図、（ｃ）が概略的側面図、（ｄ）が概略的底面図である。
【図８】同装置のフレームグランドを取り外した状態の概略的正面図である。
【図９】同装置の分解斜視図である。
【図１０】同装置の押下スイッチの固定接点部、位置検出手段の接点及びアース端子の露出部分を示すケースの模式図である。
【図１１】同装置の図７のＢ−Ｂ断面図である。
【図１２】本発明の第３の実施の形態に係る複合操作型入力装置の分解斜視図である。
【図１３】図１３は同装置の押下スイッチの固定接点部、位置検出手段の接点及びアース端子が設けられたケースを示す図であって、（ａ）が正面図、（ｂ）がＣ−Ｃ断面図、（ｃ）が（ｂ）の一部拡大図である。
【図１４】同装置の操作レバーを示す図であって、（ａ）が正面図、（ｂ）が背面図、（ｃ）が側面図、（ｄ）が平面図、（ｅ）が底面図、（ｆ）がＤ−Ｄ断面図である。
【図１５】同装置のロータを示す図であって、（ａ）が正面図、（ｂ）が背面図、（ｃ）が側面図、（ｄ）が平面図、（ｅ）が底面図である。
【図１６】同装置の押下部材を示す図であって、（ａ）が正面図、（ｂ）が背面図、（ｃ）が側面図、（ｄ）が平面図、（ｅ）が底面図である。
【図１７】同装置のフレームグランドを取り外した状態の概略的正面図であって、（ａ）は操作レバーが原点位置に位置した状態を示す図、（ｂ）は操作レバーが揺動操作された状態を示す図である。
【図１８】同装置の別の押下スイッチの固定接点部、位置検出手段の接点及びアース端子を示すケースを示す図であって、（ａ）が正面図、（ｂ）がＥ−Ｅ断面図、（ｃ）が（ｂ）の一部拡大図である。
【符号の説明】
【０２６０】
１００、１００’、１００’’              ケース
２００、２００’、２００’’              操作レバー
２１２ｂ、２１２ｂ’、２１２ｂ’’        押下部本体
２１２ｂ１、２１２ｂ１’、２１２ｂ１’’  傾斜面（押下移動方向側の一端面）
３００、３００’、３００’’              ロータ
４００、４００’、４００’’              位置検出手段
４１１、４１１’、４１１’’              接点部
４１２、４１２’、４１２’’              接点部
４１３、４１３’、４１３’’              接点部
４２０、４２０’、４２０’’              ブラシ
５００、５００’、５００’’              押下部材
５１２、５１２’、５１２’’              ヘッド部
６００、６００’’                       押下スイッチ
６１０、６１０’’                       第１の固定接点部
６２０、６２０’’                       第２の固定接点部
６３０、６３０’’                       第３の固定接点部
６４０、６４０’’                       第１の可動接点部
６５０、６５０’’                       第２の可動接点部
７００、７００’、７００’’              原点復帰手段
７１０、７１０’’                       コイル部
７３０、７２０’’                       第２のアーム部（アーム部）
８００、８００’’                       フレームグランド
【図１】
2008305750.tif 000003
【図２】
2008305750.tif 000004
【図３】
2008305750.tif 000005
【図４】
2008305750.tif 000006
【図５】
2008305750.tif 000007
【図６】
2008305750.tif 000008
【図７】
2008305750.tif 000009
【図８】
2008305750.tif 000010
【図９】
2008305750.tif 000011
【図１０】
2008305750.tif 000012
【図１１】
2008305750.tif 000013
【図１２】
2008305750.tif 000014
【図１３】
2008305750.tif 000015
【図１４】
2008305750.tif 000016
【図１５】
2008305750.tif 000017
【図１６】
2008305750.tif 000018
【図１７】
2008305750.tif 000019
【図１８】
2008305750.tif 000020